(57)【特許請求の範囲】
【請求項１】
少なくとも９７重量％の以下の４つの化合物を含む冷媒であって、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、
７３重量％〜８７重量％のトランス−１，３，３，３−テトラフルオロプロペン（ＨＦＯ−１２３４ｚｅ（Ｅ））、
４．４重量％＋／−０．５重量％の１，１，１，２，３，３，３−ヘプタフルオロプロパン（ＨＦＣ−２２７ｅａ）、及び
６．６重量％〜２０．６重量％のトリフルオロヨードメタン（ＣＦ３Ｉ）。
【請求項２】
請求項１に記載の冷媒であって、以下の４つの化合物から本質的になり、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、
７３重量％〜８７重量％のトランス−１，３，３，３−テトラフルオロプロペン（ＨＦＯ−１２３４ｚｅ（Ｅ））、
４．４重量％＋／−０．５重量％の１，１，１，２，３，３，３−ヘプタフルオロプロパン（ＨＦＣ−２２７ｅａ）、及び
６．６重量％〜２０．６重量％のトリフルオロヨードメタン（ＣＦ３Ｉ）。
【請求項３】
請求項１に記載の冷媒であって、以下の４つの化合物から本質的になり、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、
８４重量％＋／−０．５重量％のトランス−１，３，３，３−テトラフルオロプロペン（ＨＦＯ−１２３４ｚｅ（Ｅ））、
４．４重量％＋／−０．５重量％の１，１，１，２，３，３，３−ヘプタフルオロプロパン（ＨＦＣ−２２７ｅａ）、及び
９．６重量％＋／−０．５重量％のトリフルオロヨードメタン（ＣＦ３Ｉ）。
【請求項４】
少なくとも９７重量％の以下の３つの化合物を含む冷媒であって、各化合物が以下の相対百分率で存在する、冷媒：
１重量％〜３重量％のトランス−１−クロロ−３，３，３−トリフルオロプロペン（ＨＦＣＯ−１２３３ｚｄ（Ｅ））、
７７重量％〜８３重量％のトランス−１，３，３，３−テトラフルオロプロペン（ＨＦＯ−１２３４ｚｅ（Ｅ））、及び
１５重量％〜２１重量％のトリフルオロヨードメタン（ＣＦ３Ｉ）。
【請求項５】
請求項４に記載の冷媒であって、以下の３つの化合物から本質的になり、各化合物が以下の相対百分率で存在する、冷媒：
１重量％〜３重量％のトランス−１−クロロ−３，３，３−トリフルオロプロペン（ＨＦＣＯ−１２３３ｚｄ（Ｅ））、
７７重量％〜８３重量％のトランス−１，３，３，３−テトラフルオロプロペン（ＨＦＯ−１２３４ｚｅ（Ｅ））、及び
１５重量％〜２１重量％のトリフルオロヨードメタン（ＣＦ３Ｉ）。
【請求項６】
請求項５に記載の冷媒であって、以下の３つの化合物から本質的になり、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、
７７重量％〜８３重量％のトランス−１，３，３，３−テトラフルオロプロペン（ＨＦＯ−１２３４ｚｅ（Ｅ））、及び
１５重量％〜２１重量％のトリフルオロヨードメタン（ＣＦ３Ｉ）。
【請求項７】
請求項６に記載の冷媒であって、以下の３つの化合物から本質的になり、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、
７８重量％＋／−０．５重量％のトランス−１，３，３，３−テトラフルオロプロペン（ＨＦＯ−１２３４ｚｅ（Ｅ））、及び
２０重量％＋／−０．５重量％のトリフルオロヨードメタン（ＣＦ３Ｉ）。
【請求項８】
請求項１〜７のいずれかに記載の冷媒を含む、熱伝達組成物。
【請求項９】
潤滑剤を更に含む、請求項８に記載の熱伝達組成物。
【請求項１０】
潤滑剤が、ポリオールエステル（ＰＯＥ）、ポリアルキレングリコール（ＰＡＧ）、シリコーン油、鉱物油、アルキルベンゼン（ＡＢ）、ポリビニルエーテル（ＰＶＥ）、及びポリ（アルファ−オレフィン）（ＰＡＯ）、及びその組み合わせを含む、請求項９に記載の熱伝達組成物。
【請求項１１】
潤滑剤が、ポリオールエステル（ＰＯＥ）を含む、請求項１０に記載の熱伝達組成物。
【請求項１２】
安定化剤を更に含む、請求項８に記載の熱伝達組成物。
【請求項１３】
安定化剤がジエン系化合物、フェノール系化合物、リン化合物、窒素化合物、エポキシド及びその組み合わせを含む、請求項１２に記載の熱伝達組成物。
【請求項１４】
低温冷凍、中温冷凍、自動販売機、ヒートポンプ、除湿器、冷却器、空調並びに冷蔵庫及び冷凍庫における、請求項７〜１３に記載の熱伝達組成物の使用。
【請求項１５】
低温冷凍における、請求項１４に記載の熱伝達組成物の使用。
【請求項１６】
中温冷凍における、請求項１４に記載の熱伝達組成物の使用。
【請求項１７】
ヒートポンプにおける、請求項１４に記載の熱伝達組成物の使用。
【請求項１８】
空調における、請求項１４に記載の熱伝達組成物の使用。
【請求項１９】
Ｒ−１３４ａを含む既存の熱交換システムにおけるＲ−１３４ａの置き換えのための、請求項７〜１３に記載の熱伝達組成物の使用。
【発明の詳細な説明】
【技術分野】
【０００１】
関連出願の相互参照
本出願は、それぞれが参照により本明細書に組み込まれる、２０１７年１月１３日にそれぞれ出願された米国特許仮出願第６２／４４５，８００号及び同第６２／４４５，８１６号のそれぞれの優先権の利益を主張する。
【０００２】
本出願はまた、それぞれが参照により本明細書に組み込まれる、２０１７年６月２１日にそれぞれ出願された米国特許仮出願第６２／５２２，８３６号、同第６２／５２２，８４６号、同第６２／５２２，８５１号、及び同第６２／５２２，８６０号のそれぞれの優先権の利益も主張する。
【０００３】
本発明は、冷蔵用途など、熱交換システムにおける有用性を有する組成物、方法、及びシステムに関し、具体的には、加熱及び冷却用途としての冷媒Ｒ−１３４ａの置き換え用の組成物、並びにＲ−１３４ａを含むシステムなど、熱交換システムを改修することに関する。
【背景技術】
【０００４】
産業用、商用、及び家庭用の使用について、冷媒液を使用した機械冷凍システム、並びにヒートポンプ及び空調機などの関連する熱伝達デバイスが当該技術分野で周知である。クロロフルオロカーボン（ＣＦＣ）は、かかるシステムのための冷媒として１９３０年代に開発された。しかしながら、１９８０年代以降、成層圏オゾン層に対するＣＦＣの影響が多くの注目を集めるようになった。１９８７年には、ＣＦＣ製品の段階的削減のためのタイムテーブルを定めた、地球環境を保護するためのモントリオール議定書に多くの政府が署名した。水素を含有する、より環境的に許容される材料、すなわちヒドロクロロフルオロカーボン（ＨＣＦＣ）がＣＦＣに取って代わった。
【０００５】
最も一般的に使用されたヒドロクロロフルオロカーボンの１つが、クロロジフルオロメタン（ＨＣＦＣ−２２）であった。しかしながら、モントリオール議定書のその後の改正は、ＣＦＣの段階的削減を加速させ、ＨＣＦＣ−２２を含むＨＣＦＣの段階的削減もスケジュールされた。
【０００６】
ＣＦＣ及びＨＣＦＣに代わる不燃性、非毒性の代替物の要求に応じて、業界では、オゾン破壊係数がゼロであるいくつかのヒドロフルオロカーボン（ＨＦＣ）が開発された。Ｒ−１３４ａ（１，１，１，２−テトラフルオロエタン）は、オゾン破壊に寄与しないため、中温冷凍システム及び自動販売機などの冷蔵用途、並びにヒートポンプ及び冷却器を含め、様々な熱交換用途に採用された。
【０００７】
しかしながら、Ｒ−１３４ａは、約１４３０の地球温暖化係数（ＧＷＰ）を有する（「ＩＰＣＣ（２００７）Ｃｌｉｍａｔｅ  Ｃｈａｎｇｅ  ２００７：Ｔｈｅ  Ｐｈｙｓｉｃａｌ  Ｓｃｉｅｎｃｅ  Ｂａｓｉｓ」Ｃｏｎｔｒｉｂｕｔｉｏｎ  ｏｆ  Ｗｏｒｋｉｎｇ  Ｇｒｏｕｐ  Ｉ  ｔｏ  ｔｈｅ  Ｆｏｕｒｔｈ  Ａｓｓｅｓｓｍｅｎｔ  Ｒｅｐｏｒｔ  ｏｆ  ｔｈｅ  Ｉｎｔｅｒｇｏｖｅｒｎｍｅｎｔａｌ  Ｐａｎｅｌ  ｏｎ  Ｃｌｉｍａｔｅ  Ｃｈａｎｇｅ．Ｓ．Ｓｏｌｏｍｏｎ  ｅｔ  ａｌ，Ｃａｍｂｒｉｄｇｅ  Ｕｎｉｖｅｒｓｉｔｙ  Ｐｒｅｓｓ．Ｃａｍｂｒｉｄｇｅ，Ｕｎｉｔｅｄ  Ｋｉｎｇｄｏｍ  ｐ９９６による）。したがって、より環境的に許容される代替品でのＲ−１３４ａの置き換えが当該技術分野で必要とされている。
【０００８】
当該技術分野において、置き換え用の熱伝達流体は、特定の用途に応じて特性の寄せ集めを有しなければならないことが理解される。一般の人々が曝されることを意図した空気の冷却又は熱を伴う多くの用途では、特性の寄せ集めは、一般に、中でも特に、優れた熱伝達特性、化学安定性、低毒性若しくは無毒性、不燃性及び／又は潤滑剤適合性を含む。これらの要件の全てを満たす熱伝達流体の識別は、些細なことではない。
【０００９】
不燃性は重要であると考えられ、いくつかの場合によっては、多くの熱伝達用途のための必須特性であると考えられ、したがって、不燃性であるそのような組成物において化合物を使用することがしばしば有益である。本明細書で使用するとき、「不燃性」という用語は、ＡＳＨＲＡＥ  Ｓｔａｎｄａｒｄ  ３４−２０１３に記載され、かつＡＳＨＲＡＥ  Ｓｔａｎｄａｒｄ  ３４−２０１３の付録Ｂ１に記載された条件でＡＳＴＭ  ｓｔａｎｄａｒｄ  Ｅ−６８１−２００１に従って不燃性であると判定された化合物又は組成物を指す。
【００１０】
しかしながら、不燃性は、一般に、低いＧＷＰと逆相関すると理解される。例えば、Ｒ−１３４ａは不燃性（すなわち、クラス１）冷媒として分類されるが、約１４３０の高いＧＷＰを有する。対照的に、Ｒ１５２ａ（１，１−ジフルオロエタン）は、約１２４のＧＷＰを有するが、これは、可燃性（すなわち、クラス２）冷媒として分類される。したがって、不燃性であり、かつ低いＧＷＰ、すなわち、約１５０以下のＧＷＰを有する冷媒を提供することは一般に困難である。
【図面の簡単な説明】
【００１１】
【図１Ａ】以前に使用されたＲ−１３４ａ冷凍システムの例を示す。
【図１Ｂ】本明細書に記載される比較実施例の基礎であるＲ−１３４ａ冷凍システムの実施例を示す。
【図２】本発明の好ましい実施形態によるカスケード化された冷凍システムを示す。
【図３】本発明の好ましい実施形態による代替的なカスケード化された冷凍システムを示す。
【図４】本発明の実施形態による代替的なカスケード化された冷凍システムを示す。
【図５】本発明の実施形態による代替的なカスケード化された冷凍システムを示す。
【発明の概要】
【００１２】
出願人らは、本発明の組成物が、そのような用途における冷媒の代替品及び／又は置換品及び／又は改修品の必要性を例外的かつ予期せぬ方法で満足することを見出しており、特に、好ましくは、低いＧＷＰ値を有すると同時に、そのようなシステムにおける冷蔵用途において冷却効率及び冷却能力がＲ−１３４ａに匹敵する不燃性の非毒性流体を提供する、ＨＦＣ−１３４ａ（本明細書では、「Ｒ−１３４ａ」とも呼ばれる）を見出している。
【００１３】
本発明は、少なくとも約９７重量％の以下の３つの化合物を含む冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７７重量％〜約８３重量％のトランス−１，３，３，３−テトラフルオロプロペン（ＨＦＯ−１２３４ｚｅ（Ｅ））、及び約１５重量％〜約２１重量％のトリフルオロヨードメタン（ＣＦ３Ｉ）。本段落に記載される冷媒は、便宜上、冷媒１と呼ばれる場合がある。
【００１４】
化合物又は成分のリストに基づく百分率に関して本明細書で使用するとき、「相対百分率」という用語は、列挙された成分の総重量に基づいて、識別された化合物（ｃｏｍｏｕｎｄｓ）又は成分の百分率を意味する。
【００１５】
重量パーセントに関して本明細書で使用するとき、重量パーセントで表される量に関する「約」という用語は、成分の量が＋／−２重量％の量で変化し得ることを意味する。成分の量は、好ましくは＋／−１重量％、より好ましくは＋／−０．５重量％、更により好ましくは＋／−０．３重量％、最も好ましくは＋／−０．２重量％である。本発明の冷媒及び組成物は、好ましい実施形態では、「約」であるものとして指定された量の識別された化合物又は成分を含み、この量は、識別された量の＋／−１重量％、更により好ましくは＋／−０．５重量％である。
【００１６】
本発明は、少なくとも約９８．５重量％の以下の３つの化合物を含む冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７７重量％〜約８３重量％のトランス−１，３，３，３−テトラフルオロプロペン（ＨＦＯ−１２３４ｚｅ（Ｅ））、及び約１５重量％〜約２１重量％のトリフルオロヨードメタン（ＣＦ３Ｉ）。本段落に記載される冷媒は、便宜上、冷媒２と呼ばれる場合がある。
【００１７】
本発明は、少なくとも約９９．５重量％の以下の３つの化合物を含む冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７７重量％〜約８３重量％のトランス−１，３，３，３−テトラフルオロプロペン（ＨＦＯ−１２３４ｚｅ（Ｅ））、及び約１５重量％〜約２１重量％のトリフルオロヨードメタン（ＣＦ３Ｉ）。本段落に記載される冷媒は、便宜上、冷媒３と呼ばれる場合がある。
【００１８】
本発明は、以下の３つの化合物から本質的になる冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７７重量％〜約８３重量％のトランス−１，３，３，３−テトラフルオロプロペン（ＨＦＯ−１２３４ｚｅ（Ｅ））、及び約１５重量％〜約２１重量％のトリフルオロヨードメタン（ＣＦ３Ｉ）。本段落に記載される冷媒は、便宜上、冷媒４と呼ばれる場合がある。
【００１９】
本発明は、以下の４つの化合物からなる冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７７重量％〜約８３重量％のトランス−１，３，３，３−テトラフルオロプロペン（ＨＦＯ−１２３４ｚｅ（Ｅ））、及び約１５重量％〜約２１重量％のトリフルオロヨードメタン（ＣＦ３Ｉ）。本段落に記載される冷媒は、便宜上、冷媒５と呼ばれる場合がある。
【００２０】
本発明は、少なくとも約９７重量％の以下の３つの化合物を含む冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約７８重量％のトランス−１，３，３，３−テトラフルオロプロペン（ＨＦＯ−１２３４ｚｅ（Ｅ））、及び約２０重量％のトリフルオロヨードメタン（ＣＦ３Ｉ）。本段落に記載される冷媒は、便宜上、冷媒６と呼ばれる場合がある。
【００２１】
本発明は、少なくとも約９８．５重量％の以下の３つの化合物を含む冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約７８重量％のトランス−１，３，３，３−テトラフルオロプロペン（ＨＦＯ−１２３４ｚｅ（Ｅ））、及び約２０重量％のトリフルオロヨードメタン（ＣＦ３Ｉ）。本段落に記載される冷媒は、便宜上、冷媒７と呼ばれる場合がある。
【００２２】
本発明は、以下の３つの化合物から本質的になる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約７８重量％のトランス−１，３，３，３−テトラフルオロプロペン（ＨＦＯ−１２３４ｚｅ（Ｅ））、及び約２０重量％のトリフルオロヨードメタン（ＣＦ３Ｉ）。本段落に記載される冷媒は、便宜上、冷媒８と呼ばれる場合がある。
【００２３】
本発明は、以下の３つの化合物からなる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約７８重量％のトランス−１，３，３，３−テトラフルオロプロペン（ＨＦＯ−１２３４ｚｅ（Ｅ））、及び約２０重量％のトリフルオロヨードメタン（ＣＦ３Ｉ）。本段落に記載される冷媒は、便宜上、冷媒９と呼ばれる場合がある。
【００２４】
本発明は、少なくとも約９８．５重量％の以下の３つの化合物を含む冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、７８重量％＋／−０．５重量％のトランス−１，３，３，３−テトラフルオロプロペン（ＨＦＯ−１２３４ｚｅ（Ｅ））、及び２０重量％＋／−０．５重量％のトリフルオロヨードメタン（ＣＦ３Ｉ）。本段落に記載される冷媒は、便宜上、冷媒１０と呼ばれる場合がある。
【００２５】
本発明は、以下の３つの化合物から本質的に（ｅｓｓｅｎｔｉｕａｌｌｙ）なる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、７８重量％＋／−０．５重量％のトランス−１，３，３，３−テトラフルオロプロペン（ＨＦＯ−１２３４ｚｅ（Ｅ））、及び２０重量％＋／−０．５重量％のトリフルオロヨードメタン（ＣＦ３Ｉ）。本段落に記載される冷媒は、便宜上、冷媒１１と呼ばれる場合がある。
【００２６】
本発明は、以下の３つの化合物からなる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、７８重量％＋／−０．５重量％のトランス−１，３，３，３−テトラフルオロプロペン（ＨＦＯ−１２３４ｚｅ（Ｅ））、及び２０重量％＋／−０．５重量％のトリフルオロヨードメタン（ＣＦ３Ｉ）。本段落に記載される冷媒は、便宜上、冷媒１２と呼ばれる場合がある。
【００２７】
本発明は、少なくとも約９７重量％の以下の４つの化合物を含む冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。本段落に記載される冷媒は、便宜上、冷媒１３と呼ばれる場合がある。
【００２８】
本発明は、少なくとも約９８．５重量％の以下の３つの化合物を含む冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。本段落に記載される冷媒は、便宜上、冷媒１４と呼ばれる場合がある。
【００２９】
本発明は、少なくとも約９９．５重量％の以下の３つの化合物を含む冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。本段落に記載される冷媒は、便宜上、冷媒１５と呼ばれる場合がある。
【００３０】
本発明は、以下の４つの化合物から本質的になる冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。本段落に記載される冷媒は、便宜上、冷媒１６と呼ばれる場合がある。
【００３１】
本発明は、以下の４つの化合物からなる冷媒であって、各化合物が以下の相対百分率で存在する、冷媒、を含む：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。本段落に記載される冷媒は、便宜上、冷媒１７と呼ばれる場合がある。
【００３２】
本発明は、少なくとも約９８．５重量％の以下の４つの化合物を含む冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約８４重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約９．６重量％のトリフルオロヨードメタン（ＣＦ３Ｉ）。本段落に記載される冷媒は、便宜上、冷媒１８と呼ばれる場合がある。
【００３３】
本発明は、以下の４つの化合物から本質的になる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約８４重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約９．６重量％のトリフルオロヨードメタン（ＣＦ３Ｉ）。本段落に記載される冷媒は、便宜上、冷媒１９と呼ばれる場合がある。
【００３４】
本発明は、以下の４つの化合物からなる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、約８４重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約９．６重量％のトリフルオロヨードメタン（ＣＦ３Ｉ）。本段落に記載される冷媒は、便宜上、冷媒２０と呼ばれる場合がある。
【００３５】
本発明は、少なくとも約９８．５重量％の以下の４つの化合物を含む冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、８４重量％＋／−０．５重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び９．６重量％＋／−０．５重量％のトリフルオロヨードメタン（ＣＦ３Ｉ）。本段落に記載される冷媒は、便宜上、冷媒２１と呼ばれる場合がある。
【００３６】
本発明は、以下の４つの化合物から本質的になる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、８４重量％＋／−０．５重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び９．６重量％＋／−０．５重量％のトリフルオロヨードメタン（ＣＦ３Ｉ）。本段落に記載される冷媒は、便宜上、冷媒２２と呼ばれる場合がある。
【００３７】
本発明は、以下の４つの化合物からなる冷媒であって、各化合物が以下の相対百分率で存在する、冷媒、を含む：
２重量％＋／−０．５重量％のトランス−１−クロロ−３，３，３−トリフルオロプロペン（ＨＦＣＯ−１２３３ｚｄ（Ｅ））、８４重量％＋／−０．５重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び９．６重量％＋／−０．５重量％のトリフルオロヨードメタン（ＣＦ３Ｉ）。本段落に記載される冷媒は、便宜上、冷媒２３と呼ばれる場合がある。
【００３８】
本発明はまた、冷媒が不燃性である冷媒組成物も提供する。本明細書で使用するとき、「不燃性」という用語は、ＡＳＨＲＡＥ  Ｓｔａｎｄａｒｄ  ３４−２０１６の付録Ｂ１に記載された条件でＡＳＴＭ  ｓｔａｎｄａｒｄ  Ｅ−６８１−２０１６に従って不燃性であると判定された化合物又は組成物を指す。特に、本発明は、冷媒が不燃性である冷媒１〜２３として本明細書で識別される冷媒のそれぞれを提供しており、便宜上、そのような各冷媒は、本明細書においてそれぞれ、冷媒１ＮＦ、冷媒（Ｒｅｇｒｉｇｅｒａｎｔ）２ＮＦ、冷媒３ＮＦ、．．．、冷媒２３ＮＦと呼ばれる。
【００３９】
本発明はまた、冷媒が１５０以下の地球温暖化係数（ＧＷＰ）を有する冷媒組成物も提供する。特に、本発明は、冷媒が１５０以下のＧＷＰを有する冷媒１〜２３として本明細書で識別される冷媒のそれぞれを提供しており、便宜上、そのような各冷媒は、本明細書においてそれぞれ、冷媒１ＧＷＰ１５０、冷媒２ＧＷＰ１５０、冷媒３ＧＷＰ１５０、．．．、冷媒２３ＧＷＰ１５０と呼ばれる。
【００４０】
「地球温暖化係数」（以下「ＧＷＰ」）は、様々な気体の地球温暖化への影響を比較することを可能にするために開発された。具体的には、ある気体の１トンの放出が、二酸化炭素の１トンの放出に対して相対的に、所与の期間にわたってどのくらいのエネルギーを吸収するかの尺度である。ＧＷＰが大きいほど、所与の気体は、ＣＯ２と比較して、その期間にわたって地球をより一層温めることになる。ＧＷＰに通常使用される期間は、１００年である。ＧＷＰは、アナリストが異なる気体の放出推定値を合計することを可能にする、一般的な尺度を提供する。ｗｗｗ．ｅｐａ．ｇｏｖを参照されたい。
【００４１】
本発明はまた、冷媒が１５０未満の地球温暖化係数（ＧＷＰ）を有し、かつ、冷媒が不燃性である、冷媒組成物も提供する。特に、本発明は、冷媒が不燃性であり、かつ、１５０未満のＧＷＰを有する、冷媒１〜２３として本明細書で識別される冷媒のそれぞれを提供しており、便宜上、そのような各冷媒は、本明細書においてそれぞれ、冷媒１ＮＦＧＷＰ１５０、冷媒２ＮＦＧＷＰ１５０、冷媒３ＮＦＧＷＰ１５０、．．．、冷媒２３ＮＦＧＷＰ１５０と呼ばれる。
【００４２】
本発明はまた、冷媒が５以下の地球温暖化係数（ＧＷＰ）を有する冷媒組成物も提供する。特に、本発明は、冷媒が５以下のＧＷＰを有する冷媒１〜１２として本明細書で識別される冷媒のそれぞれを提供しており、便宜上、そのような各冷媒は、本明細書においてそれぞれ、冷媒１ＧＷＰ５、冷媒２ＧＷＰ５、冷媒３ＧＷＰ５、．．．、冷媒１２ＧＷＰ５と呼ばれる。
【００４３】
本発明はまた、冷媒が不燃性であり、かつ、５の地球温暖化係数（ＧＷＰ）を有する、冷媒組成物も提供する。特に、本発明は、冷媒が５以下のＧＷＰを有し、かつ、冷媒が不燃性である、冷媒１〜１２として本明細書で識別される冷媒のそれぞれを提供しており、便宜上、そのような各冷媒は、本明細書においてそれぞれ、冷媒１ＮＦＧＷＰ５、冷媒２ＮＦＧＷＰ５、冷媒３ＮＦＧＷＰ５、．．．、冷媒１２ＮＦＧＷＰ５と呼ばれる。
【発明を実施するための形態】
【００４４】
本発明は、ＨＦＣＯ−１２３３ｚｄ（Ｅ）、ＨＦＯ−１２３４ｚｅ（Ｅ）、トリフルオロヨードメタン（ＣＦ３Ｉ）を含む冷媒を含むか又はそれを利用する、冷媒、熱伝達組成物、及び熱伝達方法に関する。トリフルオロヨードメタン（ＣＦ３Ｉ）は、Ｍａｔｈｅｓｏｎ  ＴｒｉＧａｓ，Ｉｎｃ．を含めて、様々な市販の供給源から容易に入手可能である。ＨＦＣＯ−１２３３ｚｄ（Ｅ）及びＨＦＯ−１２３４ｚｅ（Ｅ）は、Ｈｏｎｅｙｗｅｌｌ  Ｉｎｔｅｒｎａｔｉｏｎａｌ，Ｉｎｃ．から入手可能な市販の材料である。
【００４５】
本発明の実施形態は、ＨＦＣＯ−１２３３ｚｄ（Ｅ）、ＨＦＯ−１２３４ｚｅ（Ｅ）及びトリフルオロヨードメタン（ＣＦ３Ｉ）に加えて、ＨＦＣ−２２７ｅａを含んでいる冷媒も含む。ＨＦＣ−２２７ｅａもまた、周知の市販材料である。
【００４６】
冷媒
出願人らは、本発明の冷媒が、低いＧＷＰと組み合わせて、熱伝達特性、化学安定性、低毒性又は無毒性、不燃性、ゼロに近いオゾン破壊係数（「ＯＤＰ」）、及び潤滑剤適合性を含む、非常に有利な特性を提供することができることを見出した。本発明の冷媒のある利点は、本明細書に定義される不燃性試験に従って試験したときに不燃性であることである。冷媒の燃焼性が特定の重要な熱伝達用途のための重要な特徴であることは当業者には理解されるであろう。したがって、優れた熱伝達特性、化学安定性、低毒性又は無毒性、ゼロに近いＯＤＰ、及び潤滑剤適合性を有し、かつ、使用中に不燃性を維持する、冷蔵用途のためのＲ−１３４ａの置換品及び／又は改修品として使用され得る冷媒組成物を提供することが、当該技術分野において望まれている。この要件は、本発明の冷媒によって達成される。
【００４７】
出願人らは、本発明の組成物が、とりわけ低いＧＷＰを含む、達成するのが困難な特性の組み合わせを達成することができることを見出した。したがって、本発明の組成物は、好ましくは、１５０以下、又は５以下のＧＷＰを有する。
【００４８】
更に、本発明の組成物は、低いＯＤＰを有する。したがって、本発明の組成物は、０．０５以下、好ましくは０．０２以下、より好ましくは約ゼロのＯＤＰを有する。
【００４９】
更に、本発明の組成物は、許容可能な毒性を示し、好ましくは約４００より大きい職業暴露限界（ＯＥＬ）を有する。本明細書で使用するとき、「職業暴露限界（ＯＥＬ）」という用語は、ＡＳＨＲＡＥ  Ｓｔａｎｄａｒｄ  ３４−２０１６「Ｄｅｓｉｇｎａｔｉｏｎ  ａｎｄ  Ｓａｆｅｔｙ  Ｃｌａｓｓｉｆｉｃａｔｉｏｎ  ｏｆ  Ｒｅｆｒｉｇｅｒａｎｔｓ」に従って使用されるものであり、またそれに従って判定された値を有する。
【００５０】
熱伝達組成物
好ましくは、本発明は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のそれぞれを、熱伝達組成物の４０重量％超、又は熱伝達組成物の約５０重量％超、又は熱伝達組成物の７０重量％超、又は熱伝達組成物の８０重量％超、又は熱伝達組成物の９０重量％超の量で含む、本発明の冷媒のいずれか１つを含む熱伝達組成物を含む。熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のそれぞれを含む、冷媒から本質的になり得るか、又はそれからなり得る。
【００５１】
本発明の熱伝達組成物は、ある特定の機能性を増強させるか、又はそれを組成物に提供する目的で他の成分を含んでもよい。かかる他の成分には、潤滑剤、染料、可溶化剤、相溶化剤、安定化剤、抗酸化剤、腐食抑制剤、極圧添加剤、及び耐摩耗剤のうちの１つ以上が含まれ得る。
【００５２】
好ましい実施形態（ｅｍｏｄｉｍｅｎｔｓ）では、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、安定化剤と、を含む。
【００５３】
好ましい実施形態では、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、安定化剤と、から本質的になる。
【００５４】
好ましい実施形態では、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、潤滑剤と、を含む。
【００５５】
好ましい実施形態では、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、潤滑剤と、から本質的になる。
【００５６】
好ましい実施形態では、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、安定化剤と、潤滑剤と、を含む。
【００５７】
好ましい実施形態では、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、安定化剤と、潤滑剤と、から本質的になる。
【００５８】
安定化剤
本明細書の熱伝達組成物で使用するのに有用な安定化剤の例としては、ジエン系化合物及び／又はフェノール系化合物及び／又はリン化合物及び／又は窒素化合物及び／又はエポキシドが挙げられる。好ましい安定化剤の例としては、ジエン系化合物及び／又はフェノール系化合物及び／又はリン化合物が挙げられる。
【００５９】
好ましくは、安定化剤は、０を超える量で、好ましくは０．０００１重量％〜約５重量％、好ましくは０．０１重量％〜約２重量％、より好ましくは０．１〜約１重量％の量で熱伝達組成物中に提供される。各々の場合において、重量パーセンテージは、熱伝達組成物の重量を指す。
【００６０】
ジエン系化合物は、Ｃ３〜Ｃ１５ジエン、及び任意の２種以上のＣ３〜Ｃ４ジエンの反応によって形成された化合物を含む。好ましくは、ジエン系化合物は、アリルエーテル、プロパジエン、ブタジエン、イソプレン、及びテルペンからなる群から選択される。ジエン系化合物は、好ましくはテルペンであり、これにはテレベン、レチナール、ゲラニオール、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１が含まれるがこれらに限定されない。好ましくは、安定化剤は、ファルネセンである。好ましいテルペン安定化剤は、参照により本明細書に組み込まれる、２００４年１２月１２日に出願され、米国特許出願公開第２００６／０１６７０４４（Ａ１）号として公開された、米国特許仮出願第６０／６３８，００３号に開示されている。
【００６１】
更に、ジエン系化合物は、０を超える量で、好ましくは０．０００１重量％〜約５重量％、好ましくは０．００１重量％〜約２．５重量％、より好ましくは０．０１重量％〜約１重量％の量で熱伝達組成物中に提供され得る。各々の場合において、重量パーセンテージは、熱伝達組成物の重量を指す。
【００６２】
ジエン系化合物は、好ましくは、リン化合物と組み合わせて提供される。
【００６３】
フェノールは、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択される１つ以上の化合物、好ましくはＢＨＴであり得る。
【００６４】
フェノール化合物は、０を超える量で、好ましくは０．０００１重量％〜約５重量％、好ましくは０．００１重量％〜約２．５重量％、より好ましくは０．０１重量％〜約１重量％の量で熱伝達組成物中に提供され得る。各々の場合において、重量パーセンテージは、熱伝達組成物の重量を指す。
【００６５】
リン化合物は、亜リン酸化合物又はリン酸化合物であり得る。本発明の目的では、亜リン酸化合物は、ジアリール、ジアルキル、トリアリール、及び／若しくはトリアルキルホスファイト、並びに／又は混合されたアリール／アルキル二若しくは三置換ホスファイト、特にヒンダードホスファイト、トリス−（ジ−ｔｅｒｔ−ブチルフェニル）ホスファイト、ジ−ｎ−オクチルホスファイト、イソ−オクチルジフェニルホスファイト、イソーデシルジフェニルホスファイト、トリ−イソ−デシルホスフェート、トリフェニルホスファイト、及びジフェニルホスファイトから選択される１種以上の化合物、特にジフェニルホスファイトであり得る。
【００６６】
リン酸化合物は、トリアリールホスフェート、トリアルキルホスフェート、アルキルモノ酸ホスフェート、アリール二酸ホスフェート、アミンホスフェート、好ましくはトリアリールホスフェート及び／又はトリアルキルホスフェート、特にトリ−ｎ−ブチルホスフェートであり得る。
【００６７】
リン化合物は、０を超える量で、好ましくは０．０００１重量％〜約５重量％、好ましくは０．００１重量％〜約２．５重量％、より好ましくは０．０１重量％〜約１重量％の量で熱伝達組成物中に提供され得る。各々の場合において、重量によるは、熱伝達組成物の重量を指す。
【００６８】
安定化剤が窒素化合物であるとき、安定化剤は、ジフェニルアミン、ｐ−フェニレンジアミン、トリエチルアミン、トリブチルアミン、ジイソプロピルアミン、トリイソプロピルアミン、及びトリイソブチルアミンから選択される１種以上の二級又は三級アミンなどのアミン系化合物を含み得る。アミン系化合物は、アミン抗酸化剤、例えば、置換ピペリジン化合物、すなわち、アルキル置換ピペリジル、ピペリジニル、ピペラジノン、又はアルキオキシピペリジニルの誘導体、特に、２，２，６，６−テトラメチル−４−ピペリドン、２，２，６，６−テトラメチル−４−ピペリジノール；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、並びにヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）から選択される１種以上のアミン抗酸化剤であり得る。本発明の目的では、アミン系化合物はまた、ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミンのうちの１つ以上であってもよい。好ましくは、アミン系化合物は、フェニル−アルファ−ナフチルアミン（ＰＡＮＡ）、アルキル−フェニル−アルファ−ナフチル−アミン（ＡＰＡＮＡ）、及びビス（ノニルフェニル）アミンのうちの１種以上、より好ましくはフェニル−アルファ−ナフチルアミン（ＰＡＮＡ）である。
【００６９】
代替的に、又は上記で識別した窒素化合物に加えて、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物を安定化剤として使用してもよい。
【００７０】
窒素化合物は、０を超えかつ０．０００１重量％〜約５重量％、好ましくは０．００１重量％〜約２．５重量％、より好ましくは０．０１重量％〜約１重量％の量で熱伝達組成物中に提供され得る。各々の場合において、重量パーセンテージは、熱伝達組成物の重量を指す。
【００７１】
有用なエポキシドとしては、芳香族エポキシド、アルキルエポキシド、及びアルケニル（ａｌｋｙｅｎｙｌ）エポキシドが挙げられる。
【００７２】
ジエン系化合物は、好ましくは、リン化合物と組み合わせて提供される。好ましくは、熱伝達組成物は、上記の冷媒と、ファルネセン、並びにジアリールホスファイト、ジアルキルホスファイト、トリアリールホスフェート、又はトリアルキルホスフェート、より好ましくはジフェニルホスファイト及び／又はトリ−ｎ−ブチルホスフェートから選択されるリン化合物を含む安定化剤組成物と、を含む。より好ましくは、熱伝達組成物は、本明細書に記載される冷媒と、ファルネセン、及びジアリールホスファイト又はジアルキルホスファイトのうちの１種以上、より好ましくはジフェニルホスファイトを含む安定化剤組成物と、を含む。好ましくは、安定化剤は、ファルネセン及びジフェニルホスファイトを含む。
【００７３】
本発明の熱伝達組成物は、好ましくは、冷媒１と、ＢＨＴを含む安定化剤組成物であって、当該ＢＨＴが、熱伝達組成物の重量に基づいて約０．０００１重量％〜約５重量％の量で存在する、安定化剤組成物と、を含み得る。熱伝達組成物の重量に基づいて約０．０００１重量％〜約５重量％の量で存在するＢＨＴは、便宜上、安定化剤１と呼ばれる場合がある。
【００７４】
本発明の熱伝達組成物は、好ましくは、冷媒２及び安定化剤１を含み得る。
【００７５】
本発明の熱伝達組成物は、好ましくは、冷媒３及び安定化剤１を含み得る。
【００７６】
本発明の熱伝達組成物は、好ましくは、冷媒４及び安定化剤１を含み得る。
【００７７】
本発明の熱伝達組成物は、好ましくは、冷媒５及び安定化剤１を含み得る。
【００７８】
本発明の熱伝達組成物は、好ましくは、冷媒６及び安定化剤１を含み得る。
【００７９】
本発明の熱伝達組成物は、好ましくは、冷媒７及び安定化剤１を含み得る。
【００８０】
本発明の熱伝達組成物は、好ましくは、冷媒８及び安定化剤１を含み得る。
【００８１】
本発明の熱伝達組成物は、好ましくは、冷媒９及び安定化剤１を含み得る。
【００８２】
本発明の熱伝達組成物は、好ましくは、冷媒１０及び安定化剤１を含み得る。
【００８３】
本発明の熱伝達組成物は、好ましくは、冷媒１１及び安定化剤１を含み得る。
【００８４】
本発明の熱伝達組成物は、好ましくは、冷媒１２及び安定化剤１を含み得る。
【００８５】
本発明の熱伝達組成物は、好ましくは、冷媒１３及び安定化剤１を含み得る。
【００８６】
本発明の熱伝達組成物は、好ましくは、冷媒１４及び安定化剤１を含み得る。
【００８７】
本発明の熱伝達組成物は、好ましくは、冷媒１５及び安定化剤１を含み得る。
【００８８】
本発明の熱伝達組成物は、好ましくは、冷媒１６及び安定化剤１を含み得る。
【００８９】
本発明の熱伝達組成物は、好ましくは、冷媒１７及び安定化剤１を含み得る。
【００９０】
本発明の熱伝達組成物は、好ましくは、冷媒１８及び安定化剤１を含み得る。
【００９１】
本発明の熱伝達組成物は、好ましくは、冷媒１９及び安定化剤１を含み得る。
【００９２】
本発明の熱伝達組成物は、好ましくは、冷媒２０及び安定化剤１を含み得る。
【００９３】
本発明の熱伝達組成物は、好ましくは、冷媒２１及び安定化剤１を含み得る。
【００９４】
本発明の熱伝達組成物は、好ましくは、冷媒２２及び安定化剤１を含み得る。
【００９５】
本発明の熱伝達組成物は、好ましくは、冷媒２３及び安定化剤１を含み得る。
【００９６】
本発明の熱伝達組成物は、好ましくは、冷媒１ＮＦ〜２３ＮＦのいずれか及び安定化剤１を含み得る。
【００９７】
本発明の熱伝達組成物は、好ましくは、冷媒１ＮＦＧＷＰ１５０〜２３ＮＦＧＷＰ１５０のいずれか及び安定化剤１を含み得る。
【００９８】
本発明の熱伝達組成物は、好ましくは、冷媒１ＧＷＰ５〜１２ＧＷＰ５のいずれか及び安定化剤１を含み得る。
【００９９】
本発明の熱伝達組成物は、好ましくは、冷媒１ＮＦＧＷＰ５〜１２ＮＦＧＷＰ５のいずれか及び安定化剤１を含み得る。
【０１００】
本発明の熱伝達組成物は、好ましくは、冷媒１と、ファルネセン、ジフェニルホスファイト、及びＢＨＴを含む安定化剤組成物であって、ファルネセンが熱伝達組成物の重量に基づいて約０．０００１重量％〜約５重量％の量で提供され、ジフェニルホスファイトが熱伝達組成物の重量に基づいて約０．０００１重量％〜約５重量％の量で提供され、ＢＨＴが熱伝達組成物の重量に基づいて約０．０００１重量％〜約５重量％の量で提供される、安定化剤組成物と、を含み得る。ファルネセン、ジフェニルホスファイト、及びＢＨＴを含む安定化剤組成物であって、ファルネセンが熱伝達組成物の重量に基づいて約０．０００１重量％〜約５重量％の量で提供され、ジフェニルホスファイトが熱伝達組成物の重量に基づいて約０．０００１重量％〜約５重量％の量で提供され、ＢＨＴが熱伝達組成物の重量に基づいて約０．０００１重量％〜約５重量％の量で提供される、安定化剤組成物は、便宜上、安定化剤２と呼ばれる場合がある。
【０１０１】
本発明の熱伝達組成物は、好ましくは、冷媒２及び安定化剤２を含み得る。
【０１０２】
本発明の熱伝達組成物は、好ましくは、冷媒３及び安定化剤２を含み得る。
【０１０３】
本発明の熱伝達組成物は、好ましくは、冷媒４及び安定化剤２を含み得る。
【０１０４】
本発明の熱伝達組成物は、好ましくは、冷媒５及び安定化剤２を含み得る。
【０１０５】
本発明の熱伝達組成物は、好ましくは、冷媒６及び安定化剤２を含み得る。
【０１０６】
本発明の熱伝達組成物は、好ましくは、冷媒７及び安定化剤２を含み得る。
【０１０７】
本発明の熱伝達組成物は、好ましくは、冷媒８及び安定化剤２を含み得る。
【０１０８】
本発明の熱伝達組成物は、好ましくは、冷媒９及び安定化剤２を含み得る。
【０１０９】
本発明の熱伝達組成物は、好ましくは、冷媒１０及び安定化剤２を含み得る。
【０１１０】
本発明の熱伝達組成物は、好ましくは、冷媒１１及び安定化剤２を含み得る。
【０１１１】
本発明の熱伝達組成物は、好ましくは、冷媒１２及び安定化剤２を含み得る。
【０１１２】
本発明の熱伝達組成物は、好ましくは、冷媒１３及び安定化剤２を含み得る。
【０１１３】
本発明の熱伝達組成物は、好ましくは、冷媒１４及び安定化剤２を含み得る。
【０１１４】
本発明の熱伝達組成物は、好ましくは、冷媒１５及び安定化剤２を含み得る。
【０１１５】
本発明の熱伝達組成物は、好ましくは、冷媒１６及び安定化剤２を含み得る。
【０１１６】
本発明の熱伝達組成物は、好ましくは、冷媒１７及び安定化剤２を含み得る。
【０１１７】
本発明の熱伝達組成物は、好ましくは、冷媒１８及び安定化剤２を含み得る。
【０１１８】
本発明の熱伝達組成物は、好ましくは、冷媒１９及び安定化剤２を含み得る。
【０１１９】
本発明の熱伝達組成物は、好ましくは、冷媒２０及び安定化剤２を含み得る。
【０１２０】
本発明の熱伝達組成物は、好ましくは、冷媒２１及び安定化剤２を含み得る。
【０１２１】
本発明の熱伝達組成物は、好ましくは、冷媒２２及び安定化剤２を含み得る。
【０１２２】
本発明の熱伝達組成物は、好ましくは、冷媒２３及び安定化剤２を含み得る。
【０１２３】
本発明の熱伝達組成物は、好ましくは、冷媒１ＮＦ〜２３ＮＦのいずれか及び安定化剤２を含み得る。
【０１２４】
本発明の熱伝達組成物は、好ましくは、冷媒１ＮＦＧＷＰ１５０〜２３ＮＦＧＷＰ１５０のいずれか及び安定化剤２を含み得る。
【０１２５】
本発明の熱伝達組成物は、好ましくは、冷媒１ＧＷＰ５〜１２ＧＷＰ５のいずれか及び安定化剤２を含み得る。
【０１２６】
本発明の熱伝達組成物は、好ましくは、冷媒１ＮＦＧＷＰ５〜１２ＮＦＧＷＰ５のいずれか及び安定化剤２を含み得る。
【０１２７】
本発明の熱伝達組成物は、より好ましくは、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される本発明の冷媒のいずれか１つと、ファルネセン、ジフェニルホスファイト、及びＢＨＴを含む安定化剤組成物であって、ファルネセンが熱伝達組成物の重量に基づいて約０．００１重量％〜約２．５重量％の量で提供され、ジフェニルホスファイトが熱伝達組成物の重量に基づいて約０．００１重量％〜約２．５重量％の量で提供され、ＢＨＴが熱伝達組成物の重量に基づいて約０．００１重量％〜約２．５重量％の量で提供される、安定化剤組成物と、を含み得る。
【０１２８】
本発明の熱伝達組成物は、最も好ましくは、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、ファルネセン、ジフェニルホスファイト、及びＢＨＴを含む安定化剤組成物であって、ファルネセンが熱伝達組成物の重量に基づいて約０．０１重量％〜約１重量％の量で提供され、ジフェニルホスファイトが熱伝達組成物の重量に基づいて約０．０１重量％〜約１重量％の量で提供され、ＢＨＴが熱伝達組成物の重量に基づいて約０．０１重量％〜約１重量％の量で提供される、安定化剤組成物と、を含み得る。
【０１２９】
潤滑剤
上記に定義される本発明の熱伝達組成物の各々は、潤滑剤を更に含み得る。一般に、熱伝達組成物は、熱伝達組成物の約５〜５０重量％、好ましくは熱伝達組成物の約１０〜約５０重量％、好ましくは熱伝達組成物の約２０〜約５０重量％、代替的には熱伝達組成物の約２０〜約４０重量％、代替的には熱伝達組成物の約２０〜約３０重量％、代替的には熱伝達組成物の約３０〜約５０重量％、代替的には熱伝達組成物の約３０〜約４０重量％の量の潤滑剤を含む。熱伝達組成物は、熱伝達組成物の約５〜約１０重量％、好ましくは熱伝達組成物の約８重量％程の量の潤滑剤を含み得る。
【０１３０】
冷凍システムに使用されている、ポリオールエステル（ＰＯＥ）、ポリアルキレングリコール（ＰＡＧ）、シリコーン油、鉱物油、アルキルベンゼン（ＡＢ）、ポリビニルエーテル（ＰＶＥ）、及びポリ（アルファ−オレフィン）（ＰＡＯ）などの一般的に使用される冷媒潤滑剤が、本発明の冷媒組成物と共に使用され得る。
【０１３１】
好ましくは、潤滑剤は、ポリオールエステル（ＰＯＥ）、ポリアルキレングリコール（ＰＡＧ）、鉱物油、アルキルベンゼン（ＡＢ）、及びポリビニルエーテル（ＰＶＥ）から、より好ましくはポリオールエステル（ＰＯＥ）、鉱物油、アルキルベンゼン（ＡＢ）、及びポリビニルエーテル（ＰＶＥ）から、特にポリオールエステル（ＰＯＥ）、鉱物油、及びアルキルベンゼン（ＡＢ）から、最も好ましくはポリオールエステル（ＰＯＥ）から選択される。
【０１３２】
市販の鉱物油には、ＷｉｔｃｏのＷｉｔｃｏ  ＬＰ  ２５０（登録商標）、ＷｉｔｃｏのＳｕｎｉｓｏ  ３ＧＳ、及びＣａｌｕｍｅｔのＣａｌｕｍｅｔ  Ｒ０１５が含まれる。市販のアルキルベンゼン潤滑剤には、Ｓｈｒｉｅｖｅ  ＣｈｅｍｉｃａｌのＺｅｒｏｌ  １５０（登録商標）及びＺｅｒｏｌ  ３００（登録商標）が含まれる。他の有用なエステルには、リン酸エステル、二塩基酸エステル、及びフルオロエステルが含まれる。
【０１３３】
本発明の熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、冷媒と、本明細書に記載される、安定化剤組成物と、潤滑剤と、から本質的になり得るか、又はそれらからなり得る。
【０１３４】
好ましい熱伝達組成物は、冷媒１と、熱伝達組成物の重量に基づいて、１０〜５０重量％のポリオールエステル（ＰＯＥ）潤滑剤と、を含む。熱伝達組成物の１０〜５０重量％のポリオールエステル（ＰＯＥ）潤滑剤は、便宜上、潤滑剤１と呼ばれる場合がある。
【０１３５】
好ましい熱伝達組成物は、冷媒２及び潤滑剤１を含む。
【０１３６】
好ましい熱伝達組成物は、冷媒３及び潤滑剤１を含む。
【０１３７】
好ましい熱伝達組成物は、冷媒４及び潤滑剤１を含む。
【０１３８】
好ましい熱伝達組成物は、冷媒５及び潤滑剤１を含む。
【０１３９】
好ましい熱伝達組成物は、冷媒６及び潤滑剤１を含む。
【０１４０】
好ましい熱伝達組成物は、冷媒７及び潤滑剤１を含む。
【０１４１】
好ましい熱伝達組成物は、冷媒８及び潤滑剤１を含む。
【０１４２】
好ましい熱伝達組成物は、冷媒９及び潤滑剤１を含む。
【０１４３】
好ましい熱伝達組成物は、冷媒１０及び潤滑剤１を含む。
【０１４４】
好ましい熱伝達組成物は、冷媒１１及び潤滑剤１を含む。
【０１４５】
好ましい熱伝達組成物は、冷媒１２及び潤滑剤１を含む。
【０１４６】
好ましい熱伝達組成物は、冷媒１３及び潤滑剤１を含む。
【０１４７】
好ましい熱伝達組成物は、冷媒１４及び潤滑剤１を含む。
【０１４８】
好ましい熱伝達組成物は、冷媒１５及び潤滑剤１を含む。
【０１４９】
好ましい熱伝達組成物は、冷媒１６及び潤滑剤１を含む。
【０１５０】
好ましい熱伝達組成物は、冷媒１７及び潤滑剤１を含む。
【０１５１】
好ましい熱伝達組成物は、冷媒１８及び潤滑剤１を含む。
【０１５２】
好ましい熱伝達組成物は、冷媒１９及び潤滑剤１を含む。
【０１５３】
好ましい熱伝達組成物は、冷媒２０及び潤滑剤１を含む。
【０１５４】
好ましい熱伝達組成物は、冷媒２１及び潤滑剤１を含む。
【０１５５】
好ましい熱伝達組成物は、冷媒２２及び潤滑剤１を含む。
【０１５６】
好ましい熱伝達組成物は、冷媒２３及び潤滑剤１を含む。
【０１５７】
好ましい熱伝達組成物は、冷媒１ＮＦ〜２３ＮＦのいずれか及び潤滑剤１を含む。
【０１５８】
好ましい熱伝達組成物は、冷媒１ＮＦＧＷＰ１５０〜２３ＮＦＧＷＰ１５０のいずれか及び潤滑剤１を含む。
【０１５９】
好ましい熱伝達組成物は、冷媒１ＧＷＰ５〜１２ＧＷＰ５のいずれか及び潤滑剤１を含む。
【０１６０】
好ましい熱伝達組成物は、冷媒１ＮＦＧＷＰ５〜１２ＮＦＧＷＰ５のいずれか及び潤滑剤１を含む。
【０１６１】
本発明の熱伝達組成物は、好ましくは、冷媒１、安定化剤１、及び潤滑剤１を含み得る。
【０１６２】
本発明の熱伝達組成物は、好ましくは、冷媒２、安定化剤１、及び潤滑剤１を含み得る。
【０１６３】
本発明の熱伝達組成物は、好ましくは、冷媒３、安定化剤１、及び潤滑剤１を含み得る。
【０１６４】
本発明の熱伝達組成物は、好ましくは、冷媒４、安定化剤１、及び潤滑剤１を含み得る。
【０１６５】
本発明の熱伝達組成物は、好ましくは、冷媒５、安定化剤１、及び潤滑剤１を含み得る。
【０１６６】
本発明の熱伝達組成物は、好ましくは、冷媒６、安定化剤１、及び潤滑剤１を含み得る。
【０１６７】
本発明の熱伝達組成物は、好ましくは、冷媒７、安定化剤１、及び潤滑剤１を含み得る。
【０１６８】
本発明の熱伝達組成物は、好ましくは、冷媒８、安定化剤１、及び潤滑剤１を含み得る。
【０１６９】
本発明の熱伝達組成物は、好ましくは、冷媒９、安定化剤１、及び潤滑剤１を含み得る。
【０１７０】
本発明の熱伝達組成物は、好ましくは、冷媒１０、安定化剤１、及び潤滑剤１を含み得る。
【０１７１】
本発明の熱伝達組成物は、好ましくは、冷媒１１、安定化剤１、及び潤滑剤１を含み得る。
【０１７２】
本発明の熱伝達組成物は、好ましくは、冷媒１２、安定化剤１、及び潤滑剤１を含み得る。
【０１７３】
本発明の熱伝達組成物は、好ましくは、冷媒１３、安定化剤１、及び潤滑剤１を含み得る。
【０１７４】
本発明の熱伝達組成物は、好ましくは、冷媒１４、安定化剤１、及び潤滑剤１を含み得る。
【０１７５】
本発明の熱伝達組成物は、好ましくは、冷媒１５、安定化剤１、及び潤滑剤１を含み得る。
【０１７６】
本発明の熱伝達組成物は、好ましくは、冷媒１６、安定化剤１、及び潤滑剤１を含み得る。
【０１７７】
本発明の熱伝達組成物は、好ましくは、冷媒１７、安定化剤１、及び潤滑剤１を含み得る。
【０１７８】
本発明の熱伝達組成物は、好ましくは、冷媒１８、安定化剤１、及び潤滑剤１を含み得る。
【０１７９】
本発明の熱伝達組成物は、好ましくは、冷媒１９、安定化剤１、及び潤滑剤１を含み得る。
【０１８０】
本発明の熱伝達組成物は、好ましくは、冷媒２０、安定化剤１、及び潤滑剤１を含み得る。
【０１８１】
本発明の熱伝達組成物は、好ましくは、冷媒２１、安定化剤１、及び潤滑剤１を含み得る。
【０１８２】
本発明の熱伝達組成物は、好ましくは、冷媒２２、安定化剤１、及び潤滑剤１を含み得る。
【０１８３】
本発明の熱伝達組成物は、好ましくは、冷媒２３、安定化剤１、及び潤滑剤１を含み得る。
【０１８４】
本発明の熱伝達組成物は、好ましくは、冷媒１ＮＦ〜２３ＮＦのいずれか、安定化剤１、及び潤滑剤１を含み得る。
【０１８５】
本発明の熱伝達組成物は、好ましくは、冷媒１ＮＦＧＷＰ１５０〜２３ＮＦＧＷＰ１５０のいずれか、安定化剤１、及び潤滑剤１を含み得る。
【０１８６】
本発明の熱伝達組成物は、好ましくは、冷媒１ＧＷＰ５〜１２ＧＷＰ５のいずれか、安定化剤１、及び潤滑剤１を含み得る。
【０１８７】
本発明の熱伝達組成物は、好ましくは、冷媒１ＮＦＧＷＰ５〜１２ＮＦＧＷＰ５のいずれか、安定化剤１、及び潤滑剤１を含み得る。
【０１８８】
本発明の熱伝達組成物は、好ましくは、冷媒１、安定化剤２、及び潤滑剤１を含み得る。
【０１８９】
本発明の熱伝達組成物は、好ましくは、冷媒２、安定化剤２、及び潤滑剤１を含み得る。
【０１９０】
本発明の熱伝達組成物は、好ましくは、冷媒３、安定化剤２、及び潤滑剤１を含み得る。
【０１９１】
本発明の熱伝達組成物は、好ましくは、冷媒４、安定化剤２、及び潤滑剤１を含み得る。
【０１９２】
本発明の熱伝達組成物は、好ましくは、冷媒５、安定化剤１、及び潤滑剤１を含み得る。
【０１９３】
本発明の熱伝達組成物は、好ましくは、冷媒６、安定化剤２、及び潤滑剤１を含み得る。
【０１９４】
本発明の熱伝達組成物は、好ましくは、冷媒７、安定化剤２、及び潤滑剤１を含み得る。
【０１９５】
本発明の熱伝達組成物は、好ましくは、冷媒８、安定化剤２、及び潤滑剤１を含み得る。
【０１９６】
本発明の熱伝達組成物は、好ましくは、冷媒９、安定化剤２、及び潤滑剤１を含み得る。
【０１９７】
本発明の熱伝達組成物は、好ましくは、冷媒１０、安定化剤２、及び潤滑剤１を含み得る。
【０１９８】
本発明の熱伝達組成物は、好ましくは、冷媒１１、安定化剤２、及び潤滑剤１を含み得る。
【０１９９】
本発明の熱伝達組成物は、好ましくは、冷媒１２、安定化剤２、及び潤滑剤１を含み得る。
【０２００】
本発明の熱伝達組成物は、好ましくは、冷媒１３、安定化剤２、及び潤滑剤１を含み得る。
【０２０１】
本発明の熱伝達組成物は、好ましくは、冷媒１４、安定化剤２、及び潤滑剤１を含み得る。
【０２０２】
本発明の熱伝達組成物は、好ましくは、冷媒１５、安定化剤２、及び潤滑剤１を含み得る。
【０２０３】
本発明の熱伝達組成物は、好ましくは、冷媒１６、安定化剤２、及び潤滑剤１を含み得る。
【０２０４】
本発明の熱伝達組成物は、好ましくは、冷媒１７、安定化剤２、及び潤滑剤１を含み得る。
【０２０５】
本発明の熱伝達組成物は、好ましくは、冷媒１８、安定化剤２、及び潤滑剤１を含み得る。
【０２０６】
本発明の熱伝達組成物は、好ましくは、冷媒１９、安定化剤２、及び潤滑剤１を含み得る。
【０２０７】
本発明の熱伝達組成物は、好ましくは、冷媒２０、安定化剤２、及び潤滑剤１を含み得る。
【０２０８】
本発明の熱伝達組成物は、好ましくは、冷媒２１、安定化剤２、及び潤滑剤１を含み得る。
【０２０９】
本発明の熱伝達組成物は、好ましくは、冷媒２２、安定化剤２、及び潤滑剤１を含み得る。
【０２１０】
本発明の熱伝達組成物は、好ましくは、冷媒２３、安定化剤２、及び潤滑剤１を含み得る。
【０２１１】
本発明の熱伝達組成物は、好ましくは、冷媒１ＮＦ〜２３ＮＦのいずれか、安定化剤２、及び潤滑剤１を含み得る。
【０２１２】
本発明の熱伝達組成物は、好ましくは、冷媒１ＮＦＧＷＰ１５０〜２３ＮＦＧＷＰ１５０のいずれか、安定化剤２、及び潤滑剤１を含み得る。
【０２１３】
本発明の熱伝達組成物は、好ましくは、冷媒１ＧＷＰ５〜１２ＧＷＰ５のいずれか、安定化剤２、及び潤滑剤１を含み得る。
【０２１４】
本発明の熱伝達組成物は、好ましくは、冷媒１ＮＦＧＷＰ５〜１２ＮＦＧＷＰ５のいずれか、安定化剤２、及び潤滑剤１を含み得る。
【０２１５】
本発明の新規及び基本的な特徴から逸脱することなく、本明細書に含まれる教示を考慮して、本明細書において言及されていない他の添加剤もまた含まれ得る。
【０２１６】
また、参照によりその開示全体が組み込まれている米国特許第６，５１６，８３７号に開示されるように、油溶性を補助するために、界面活性剤及び可溶化剤の組み合わせが本発明の組成物に添加されてもよい。
【０２１７】
更に、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明による冷媒、並びにそのような冷媒を含有する熱伝達組成物は、許容可能な毒性を示し、好ましくは約４００より大きい職業暴露限界（ＯＥＬ）を有する。
【０２１８】
熱伝達システム、使用、及び方法
本発明の冷媒（及び同冷媒を含有する熱伝達組成物）は、加熱及び冷却用途に使用することができる。
【０２１９】
本明細書に開示される組成物は、低温冷凍、中温冷凍、自動販売機、ヒートポンプ（ヒートポンプ温水ヒータを含む）、除湿器、冷却器、及び冷蔵庫及び冷凍庫を含む、熱伝達用途に使用するために提供される。
【０２２０】
本発明の組成物は、既存の又は新規の熱伝達システムなど、Ｒ−１３４ａ冷媒と共に使用される又はそれとの使用に適しているシステムにおいて用いられ得る。
【０２２１】
本発明の熱伝達組成物のいずれかへの任意の言及は、本明細書に記載される熱伝達組成物の各々いずれかを指す。したがって、本発明の熱伝達組成物の使用又は用途の以下の考察のために、熱伝達組成物は、安定化剤（Ｓｔａｂｌｉｚｅｒ）１及び安定化剤２を含む本明細書に記載される安定化剤のいずれか並びに潤滑剤１を含む本明細書に記載される潤滑剤のいずれかと組み合わせて、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される冷媒のいずれかを含み得るか、又はそれから本質的になり得る。
【０２２２】
本発明の目的では、本明細書に記載される熱伝達組成物の各々いずれかは、低温冷凍システム、中温冷凍システム、自動販売機、ヒートポンプ（ヒートポンプ温水ヒータを含む）、除湿器、冷却器、並びに冷蔵庫及び／又は冷凍庫など、熱伝達システムにおいて使用することができる。本発明による熱伝達システムには、互いに接続した圧縮機、蒸発器、凝縮器、及び拡張デバイスが含まれ得る。
【０２２３】
一般的に使用される圧縮機の例としては、本発明の目的では、往復動式、回転式（ローリングピストン及び回転弁を含む）、スクロール式、ねじ式、及び遠心式圧縮機が挙げられる。したがって、本発明は、往復動式、回転式（ローリングピストン及び回転弁を含む）、スクロール式、ねじ式、又は遠心式圧縮機を含む熱伝達システムにおける使用のための、本明細書に記載される冷媒及び／又は熱伝達組成物の各々を提供する。
【０２２４】
一般的に使用される拡張デバイスの例としては、本発明の目的では、キャピラリーチューブ、固定オリフィス、温度膨張弁、及び電子膨張弁が挙げられる。したがって、本発明は、キャピラリーチューブ、固定オリフィス、温度膨張弁、又は電子膨張弁を含む熱伝達システムにおける使用のための、本明細書に記載される冷媒及び／又は熱伝達組成物の各々いずれかを提供する。
【０２２５】
本発明の目的では、蒸発器及び凝縮器は、好ましくはフィンチューブ型熱交換器、マイクロチャネル熱交換器、シェルアンドチューブ式、プレート式熱交換器、及びチューブインチューブ式（ｔｕｂｅ−ｉｎ−ｔｕｂｅ）熱交換器から選択される熱交換器を一緒に形成する。したがって、本発明は、蒸発器及び凝縮器が、フィンチューブ型熱交換器、マイクロチャネル熱交換器、シェルアンドチューブ式、プレート式熱交換器、又はチューブインチューブ式熱交換器を一緒に形成する熱伝達システムにおける使用のための、本明細書に記載される冷媒及び／又は熱伝達組成物の各々を提供する。
【０２２６】
本発明はまた、冷媒及び／又は潤滑剤の劣化がシステム動作に与え得る悪影響を低減するのに役立つように、封鎖材料を利用する熱伝達システム及び方法も提供する。封鎖材料に関して、本発明のシステムは、好ましくは、本発明による冷媒の少なくとも一部と接触している封鎖材料を含み、接触しているときの封鎖材料の温度及び／又は冷媒の温度は、好ましくは少なくとも約１０℃となる温度にある。
【０２２７】
本出願に記載される本発明のシステム及び方法の目的では、温度に関する「約」という用語は、記載された温度が＋／−５℃の量で変化し得ることを意味する。指示値が「約」であると記載された温度では、本発明は、温度が記載温度の＋／−２℃、より好ましくは＋／−１℃、最も好ましくは＋／−０．５℃である実施形態を含むことが理解されるであろう。
【０２２８】
本明細書に記載される冷媒のいずれか及び全て並びに封鎖材料のいずれか及び全ては、本発明のシステムにおいて使用することができる。好ましい実施形態では、本発明のシステムは、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明による冷媒の少なくとも一部と接触している封鎖材料を含む。好ましくは、封鎖材料は、（ａ）陰イオン交換樹脂、（ｂ）活性アルミナ吸着剤、（ｃ）水分除去モレキュラーシーブ、（ｄ）銅、銀、鉛、又はこれらの組み合わせを含むモレキュラーシーブ（好ましくはゼオライト）、及び（ｅ）上記材料の組み合わせを含む。
【０２２９】
本発明による市販の有用な陰イオン交換樹脂の例としては、Ａｍｂｅｒｌｙｓｔ  Ａ２１、Ａｍｂｅｒｌｙｓｔ  Ａ２２、及びＤｏｗｅｘ  Ｍａｒａｔｈｏｎが挙げられる。
【０２３０】
本発明による市販の有用な活性アルミナの例としては、ＢＡＳＦより販売されているＦ２００及びＨｏｎｅｙｗｅｌｌより販売されているＣＬＲ−２０４が挙げられる。
【０２３１】
本発明による市販の有用な水分除去モレキュラーシーブの例としては、細孔径タイプ３Ａ、４Ａ、５Ａ、及び１３Ｘを有するアルミノケイ酸ナトリウムモレキュラーシーブが挙げられる。
【０２３２】
市販のゼオライトモレキュラーシーブの例は、特定の分解生成物を除去するために使用される活性部位を有するＩＯＮＳＩＶ  Ｄ７３１０−Ｃである。
【０２３３】
封鎖材料と関連付けて使用するとき、「少なくとも一部と接触している」という用語は、その広義では、封鎖材料のそれぞれ、及びシステム内の冷媒の同じ又は別個の部分と接触している封鎖材料の任意の組み合わせを含むことが意図され、また、必ずしもこれらに限定されないが、各タイプ又は特定の封鎖材料が、（ｉ）他のタイプ又は特定の材料が存在する場合はそのそれぞれと共に物理的に配置され、（ｉｉ）他のタイプ又は特定の材料が存在する場合は、そのそれぞれから物理的に分離して配置され、（ｉｉｉ）２つ以上の材料が物理的に一緒にあり、かつ、少なくとも１つの封鎖材料が少なくとも１つの他の封鎖材料から物理的に分離している、組み合わせである、実施形態を含むことが意図される。
【０２３４】
陰イオン交換樹脂が、好ましくは、システム内に存在する潤滑剤及び陰イオン交換樹脂の総量に基づいて、約５重量％〜約６０重量％の量でシステム内に存在する、量。好ましくは、陰イオン交換樹脂は、システム内に存在する潤滑剤及び陰イオン交換樹脂の総量に基づいて、約２０重量％〜約５０重量％の量で、最も好ましくは約２０重量％〜３０重量％の量で存在する。
【０２３５】
本明細書に記載される陰イオン交換樹脂の量は、陰イオン交換樹脂の乾燥重量を指す。
【０２３６】
好ましくは、システム内に存在するゼオライトモレキュラーシーブの量は、システム内に存在する潤滑剤及びゼオライトモレキュラーシーブの総量に基づいて、約１重量％〜約３０重量％である。好ましくは、ゼオライトモレキュラーシーブは、好ましくは、システム内に存在する潤滑剤及びゼオライトモレキュラーシーブの総量に基づいて約１０重量％〜約３０重量％の量で存在する。
【０２３７】
水分除去モレキュラーシーブ（例えば、システム内の存在する潤滑剤及び水分除去材料の量に対して約６０重量％のナトリウム。好ましくは、モレキュラーシーブは、システム内に存在する潤滑剤及び水分除去モレキュラーシーブの総量に基づいて３０重量％〜４５重量％の量で存在し得る。
【０２３８】
好ましくは、システム内に存在する活性アルミナの量は、システム内に存在する潤滑剤及び活性アルミナの総量に基づいて、約５重量％〜約６０重量％である。
【０２３９】
カスケード化された冷凍
本発明は、カスケード化された冷凍システムを含む熱伝達システム、使用、及び方法を提供し、かかるシステムは、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に開示される冷媒のいずれかと、本明細書に開示される任意の熱伝達組成物と、を含む。熱伝達システムでの使用に関して一般に本明細書に記載されるいずれの機器も、本明細書に記載される任意のカスケードシステムでの使用に適合可能（ａｄａｐａｔａｂｌｅ）である。
【０２４０】
カスケードシステムは、典型的には、少なくとも２つの段階を有し、これらは、通常、「高段」及び「低段」と呼ばれる。カスケード熱伝達システムの一般化されたフロー図を本明細書の図４に示す。本発明の熱伝達組成物は、カスケードシステムの高段に特に提供される。カスケードシステムにおいて、高段サイクルは、一般に、空気−冷媒凝縮器及び冷媒−冷媒蒸発器を有する。高段は、典型的には、往復動式又は回転式圧縮機であり得る容積型圧縮機と、温度膨張弁又は電子膨張弁と、を有する。高段の冷媒蒸発温度は、好ましくは約−１０〜約２０℃の範囲内である。高段の凝縮温度は、好ましくは約４０〜約７０℃の範囲内である。
【０２４１】
好ましいカスケードシステムの低段（図４中にＩｎｔｅｒ．ＨＸとして識別されている）は、一般に、製品を冷却するために、冷媒−冷媒凝縮器及び冷媒−空気蒸発器を有する。低段は、典型的には、往復動式又は回転式圧縮機であり得る容積型圧縮機と、温度膨張弁又は電子膨張弁と、を有する。低段の冷媒蒸発温度は、好ましくは約−４０〜約−１０℃の範囲内である。低段の凝縮温度は、好ましくは約０〜約３０℃の範囲内である。低段冷媒は、例えば、二酸化炭素であり得る。
【０２４２】
したがって、本発明は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される冷媒のいずれかが、カスケード冷凍システムにおけるＲ−１３４ａの置換品又は改修品として使用される、カスケード化されたシステム及び方法を含む。
【０２４３】
例示を目的として、既知の構成の２つのカスケードシステムが、本明細書において図１Ａ及び図１Ｂに示されており、このタイプの各カスケードシステム、及びそのようなシステムの全ての既知の変形形態は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の冷媒のいずれか１つと、そのような冷媒のいずれか１つを含む熱伝達組成物のいずれかと、の使用によって改善される。便宜上、このようなカスケードシステムは、本明細書においてそれぞれカスケードシステム１Ａ及びカスケードシステム１Ｂと呼ばれ、それぞれが以下に詳細に記載される。
【０２４４】
カスケードシステム１Ａ
Ｒ−１３４ａを使用した一般的なタイプのカスケードシステムの一例が、システム１００として本明細書の図１Ａに示されており、これは、スーパーマーケットにおいて商用冷蔵庫として一般的に使用されているタイプの冷凍システムである。システム１００は、中温冷凍回路１１０及び低温冷凍回路１２０を介して中温冷凍と低温冷凍の両方を提供する直接膨張式システムである。中温冷凍は、典型的には、約−１０℃の蒸発温度レベルで提供される。
【０２４５】
カスケードシステム１Ａと関連付けて本明細書に開示されるカスケード冷凍のレベル及びタイプは、乳製品、惣菜、及び生鮮食品などの製品に一般的に使用される。異なる製品の個々の温度レベルは、製品要件に基づいて調整される。低温冷凍は、典型的には、約−２５℃の蒸発温度レベルで提供される。このレベルの冷凍は、アイスクリーム及び冷凍商品などの製品に一般的に使用される。ここでも、異なる製品の個々の温度レベルは、製品要件に基づいて調整される。好ましい実施形態では、低システム蒸発温度は、−２５℃、＋／−３℃又は＋／−２℃である。このようなシステムでは、中温冷凍回路１１０は、その冷媒としてＲ１３４ａを有するか、又はそれを有するように設計されるか、又はそれと共に有用になり、本発明の好ましい実施形態によれば、冷媒及び／又は熱伝達組成物のいずれかは、このようなシステムにおいてＲ−１３４ａの代わりに、又はその置換品若しくは改修品として使用される。図１Ａに示される一般的なタイプのこのようなカスケード冷凍システムは、便宜上、本明細書においてカスケードシステム１Ａと呼ばれる。
【０２４６】
カスケードシステム１Ａでは、中温冷凍回路１１０は、好ましくは、中温冷却を提供すると同時に、熱交換器１３０を介して低温冷凍回路１２０からの排熱を除去する。中温冷凍回路１１０は、例えば、ルーフ１４０と、マシンルーム１４１と、セールスフロア１４２との間に延在する。一方、低温冷凍回路１２０は、その冷媒として代替冷媒、例えばＲ７４４を有する。低温冷凍回路１２０は、マシンルーム１４１とセールスフロア１４２との間に延在する。有用には、上記のように、Ｒ７４４は低いＧＷＰを有する。
【０２４７】
カスケードシステム１Ａによる従来のシステムは、第２の冷媒として（すなわち、中温回路において）Ｒ１３４ａと共に使用するように設計され、それと共に使用されており、本発明は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に開示される（ｄｉｓｃｌｓｃｌｏｓｅｄ）冷媒のいずれかを第２の冷媒として使用することを含む。
【０２４８】
カスケードシステム１Ｂ
図１Ｂは、中温冷凍回路１１０及び低温冷凍回路１２０を含むカスケード冷凍システム１００の例を示す。カスケードシステム１Ａに記載されているタイプのシステムは、その範囲内において、カスケードシステム１Ｂと共通の要素及び特徴を有しており、カスケードシステム１Ａと関連付けてのそれらの要素又は特徴の説明は、カスケードシステム１Ｂに適用される。
【０２４９】
図１Ｂに示される低温冷凍回路１２０は、圧縮機１２１、周囲条件に熱を排出するための熱交換器１３０とのインターフェース、膨張弁１２２及び蒸発器１２３を有する。低温冷凍回路１２０は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明による任意の冷媒であり得る、低温冷媒から中温冷媒に熱を排出する役割を果たす、回路間熱交換器１５０を介して、中温冷凍回路１１０と相互作用し、それにより、低温冷媒サイクル内で過冷却冷媒液を生成する。蒸発器１２３は、冷凍庫区画の内部など、冷却されるべき空間と相互作用する。低温冷凍回路の構成要素は、蒸発器１２３、圧縮機１２１、熱交換器１３０、回路間熱交換器１５０、及び膨張弁１２２の順序で接続されている。構成要素は、低温冷媒で満たされたパイプ１２４を介して連結されている。
【０２５０】
カスケードシステム１Ｂによる従来のシステムは、第２の冷媒として（すなわち、中温回路において）Ｒ１３４ａと共に使用するように設計され、それと共に使用されており、本発明は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に開示される冷媒のいずれかを第２の冷媒として使用することを含む。
【０２５１】
カスケードシステム１Ａ及び１Ｂのそれぞれの動作を、特に、各システムに適用される特徴及び要素に関して、更に詳細に説明するが、これに関連して、各システムにおいて類似する特徴及び要素は、各図において同じ数字でラベル付けされている。システム１００は、好ましい実施形態では、複数の領域、例えば、建物の３つの領域、すなわち、凝縮器１１３及び１３０が配置されている、ルーフ、圧縮機１１１、１１２、熱交換器１５０、受容タンク１１４及び拡張デバイス１１８が配置されている、マシンルーム、並びにＬＴケース、ＭＴケース、及びそれらの拡張デバイスのそれぞれが配置されている、セールスフロア１４２にまたがることができる。
【０２５２】
したがって、低温冷凍回路１２０及び中温冷凍回路はそれぞれ、セールスフロアと、マシンルームと、ルーフとの間に延在する。使用中、中温回路１１０は、蒸発器１１９を介して冷却される空間に中温冷却を提供し、低温回路１２０は、蒸発器１２３を介して冷却される空間に低温冷却を提供する。中温回路１１０はまた、低温凝縮器１２０からの液体凝縮物からも熱を除去し、その結果、蒸発器１２３に入る液体に過冷却をもたらす。
【０２５３】
ここで、中温冷凍回路１１０の様々な構成要素の個々の及び全体的な機能について説明する。熱交換器１５０から始めると、上述のように、中温冷媒は、熱交換器１５０を介して低温冷媒から熱を吸収する。この熱吸収により、熱交換器１５０に入るときに低温気体である及び／又は気体と液体の混合物である、中温回路１５０内の冷媒に、液体を気相に変化させ、及び／又は過熱を発生させる場合は気体の温度を上昇させる。熱交換器１５０を出ると、気体冷媒は、（蒸発器１１９からの冷媒と共に）圧縮機１１１に吸入され、圧縮機１１１によって高温かつ高圧の気体に圧縮される。この気体は、パイプ１１５内に放出され、この例では、建物のルーフ上に配置されている凝縮器１１３へと移動する。凝縮器１１３では、気体状の中温冷媒は、外部周囲空気に熱を放出し、その結果、冷却されて液体に凝縮する。凝縮器１１３の後、液体冷媒は、流体受容器１１４内に溜まる。この例では、流体受容器１１４はタンクである。流体受容器１１４を出ると、液体冷媒は、並列接続された中温ブランチ１１６及び過冷却ブランチ１１７にマニホールドされる。中温ブランチ１１６では、液体冷媒は、液体冷媒の圧力、ひいては温度を低下させるために使用される膨張弁１１２へと流れる。次いで、相対的に低温の液体冷媒は、熱交換器１１９に入り、蒸発器１１９ｆと相互作用している、冷却する空間から熱を吸収する。過冷却ブランチ１１７では、液体冷媒は、最初に、冷媒の圧力及び温度が低下させられる膨張弁１１８へと同様に流れる。弁１１８の後、冷媒は、上述のように、回路間熱交換器１５０へと流れる。そこから、熱交換器からの気体冷媒は、圧縮機１１１によって圧縮機１１１に吸入され、中温冷却ブランチ１１６からの冷媒と再び合流する。
【０２５４】
上述したものではないが、意図したとおりに機能するために、熱交換器１５０に入るときの中温回路１１０内の冷媒の温度は、熱交換器１５０に入るときの低温回路１２０内の冷媒の温度よりも低くなければならないことは明らかであろう。そうなっていなければ、中温回路１１０は、回路１２０内の低温冷媒に所望の過冷却をもたらすことはない。
【０２５５】
カスケードシステム２及び３
既知のＲ−１３４ａシステムにおいて本発明の冷媒をＲ−１３４ａの置換品として使用することに加えて、出願人らは、本発明のカスケード冷凍システムも開発しており、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される冷媒のそれぞれは、これらの本発明のシステムにおいて、特に、高温段回路内の冷媒として、使用することができる。これらの２つの実施形態は、本明細書の図２及び図３に例示され、以下で詳細に説明される。
【０２５６】
好ましい実施形態によるカスケードシステムは、好ましくは、１つ以上の第１の冷凍ユニットであって、各冷凍ユニットが第１の冷凍回路を含み、各第１の冷凍回路が蒸発器及び熱交換器を含む、１つ以上の第１の冷凍ユニットと、第２の冷凍回路と、を含み、各熱交換器は、その対応の第１の冷凍回路と第２の冷凍回路との間で熱エネルギーを伝達するように配置されている。第２の回路は、上記の複数の第１の冷凍ユニットの実質的に完全な外側に位置してもよい。本明細書で使用するとき、「上記の複数の第１の冷凍ユニットの実質的に完全な外側に」という用語は、第１及び第２の冷凍回路の冷媒間の熱交換を提供するために第１の冷凍ユニット内に入り込む可能性がある、第２の冷凍回路の一部と見なされ得る輸送配管などを除いて、第２の冷凍回路の構成要素が上記の第１の冷凍ユニット内にないことを意味する。本明細書で使用するとき、「第１の冷凍ユニット」という用語は、少なくとも部分的に閉鎖された又は閉鎖可能な構造であって、その構造の少なくとも一部分の内部で冷却を提供することができ、上記の第２の冷凍回路を全体的に包囲又は収容しているいずれの構造とも構造的に別個である、構造を意味する。このような意味に従い及び一致して、本発明の第１の冷凍回路は、本明細書に記載される意味に従って、そのような第１の冷凍ユニット内に収容されているとき、本明細書において「内蔵された」と呼ばれる場合がある。
【０２５７】
各冷凍ユニットは、第１の領域内に配置されてよい。第１の領域は、ショップフロアであってよい。これは、各第１の冷凍回路も、ショップフロアなど、第１の領域内に配置されてよいことを意味する。
【０２５８】
各冷凍ユニットは、冷却されるべき空間内に収容された空間及び／又は物体を含んでよく、好ましくは、その空間は冷凍ユニットの内部にある。各蒸発器は、好ましくは冷却されるべき空間内の空気を冷却することによって、その対応の空間／物体を冷却するように配置されてよい。
【０２５９】
上述したように、第２の冷凍回路は、第１の冷凍ユニットと第２の領域との間に延在するその構成要素を有してよい。第２の領域は、例えば、第２の冷凍回路の構成要素の相当な部分を収容するマシンルームであってよい。
【０２６０】
第２の冷凍回路は、第２及び第３の領域まで延在してよい。第３の領域は、第１の冷凍ユニット及び第２の領域が配置されている建物の外側の領域であってよい。これにより、周囲冷却を利用することが可能になる。
【０２６１】
各第１の冷凍回路は、少なくとも１つの流体拡張デバイスを含んでよい。少なくとも１つの流体拡張デバイスは、キャピラリーチューブ又はオリフィスチューブであってよい。これは、その対応の冷凍ユニットが比較的一定であることにより各第１の冷凍回路に課される条件によって有効化される。これは、キャピラリーチューブ及びオリフィスチューブなど、より単純な流量制御デバイスが、第１の冷凍回路で役立つために使用され得る、好ましくは使用される、ことを意味する。
【０２６２】
第１の冷凍回路のそれぞれの平均温度は、第２の冷凍回路の平均温度よりも低くてよい。これは、第２の冷凍回路が、第１の冷凍回路を冷却することを提供するため、すなわち、第１の冷凍回路から熱を除去するために使用されてよいからであり、各第１の冷凍回路は、その対応の冷凍ユニット内で冷却されるべき空間を冷却してよい。
【０２６３】
第２の冷凍回路は、第１の冷凍回路のそれぞれを冷却して、すなわち、第１の冷凍回路のそれぞれから熱を除去してよい。
【０２６４】
各熱交換器は、その対応の第１の冷凍回路と第２の冷凍回路との間で対応の回路インターフェース位置において熱エネルギーを伝達するように配置されてよい。
【０２６５】
回路インターフェース位置のそれぞれは、他の回路インターフェース位置のそれぞれと直並列の組み合わせで連結されてよい。有用には、これは、回路インターフェース位置、第１の冷凍回路、又は第１の冷凍ユニットのうちの１つで欠陥又は遮断が検出されたとき、欠陥がシステム内で波及しないように、欠陥の発生している位置、回路、又はユニットが、第２の冷凍回路によって隔離及び／又はバイパスされ得ることを意味する。
【０２６６】
回路インターフェース位置のそれぞれは、少なくとも１つの他の回路インターフェース位置と直列に連結されてよい。
【０２６７】
回路インターフェース位置のそれぞれは、他の回路インターフェース位置のそれぞれと直列に連結されてよい。
【０２６８】
回路インターフェース位置のそれぞれは、少なくとも１つの他の回路インターフェース位置と並列に連結されてよい。
【０２６９】
回路インターフェース位置のそれぞれは、他の回路インターフェース位置のそれぞれと並列に連結されてよい。
【０２７０】
本明細書に開示される各好ましい実施形態では、第２の冷媒は、本明細書に記載されるもの及び／又は本明細書に記載される任意の熱伝達組成物を含む、任意の冷媒であり、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つである。本発明の好ましい冷媒は低いＧＷＰ及び不燃性の両方であることから、そのようなシステムであるそれらの使用は、第２の冷媒回路が多数の領域にまたがってよく、したがって、不燃性冷媒を有することが、潜在的な漏れの深刻度を低減するために重要であるため、非常に有利である。
【０２７１】
第２の冷凍回路は、第２の蒸発器を含んでよい。第２の蒸発器は、回路インターフェース位置と並列に連結されてよい。
【０２７２】
第１の冷媒回路に使用される第１の冷媒は、Ｒ７４４、炭化水素、Ｒ１２３４ｙｆ、Ｒ１２３４ｚｅ（Ｅ）、Ｒ４５５Ａ、及びこれらの組み合わせのうちのいずれかを含んでよい。炭化水素は、Ｒ２９０、Ｒ６００ａ又はＲ１２７０のいずれかを含んでよい。これらの冷媒は低いＧＷＰである。
【０２７３】
第１の冷媒は、Ｒ７４４、炭化水素、Ｒ１２３４ｙｆ、Ｒ１２３４ｚｅ（Ｅ）、Ｒ４５５Ａ、及びこれらの組み合わせのうちの１つであってよい。
【０２７４】
図２及び図３のそれぞれに例示されるシステムは、いくつかの冷凍ユニットを有し、冷凍ユニットのそれぞれは、その内部に配置された少なくとも１つの専用冷凍回路を有する。すなわち、各冷凍ユニットは、少なくとも１つの冷凍回路を含む。
【０２７５】
冷凍ユニット内に含まれる冷凍回路は、少なくとも、回路内の冷媒に熱を除去する熱交換器と、冷媒に熱を加える蒸発器と、を含んでよい。
【０２７６】
冷凍ユニット内に含まれる冷凍回路は、圧縮機と、少なくとも（好ましくは圧縮機を出た冷媒蒸気から熱を除去することによって）回路内の冷媒から熱を除去する熱交換器と、（好ましくは冷凍ユニットの冷却領域を冷却することによって）冷媒に熱を加える蒸発器と、を含んでよい。第１の冷凍回路で使用される圧縮機のサイズが企図されるが、一般に圧縮機は小型圧縮機であってよい。本明細書で使用するとき、「小型圧縮機」という用語は、圧縮機が約１馬力以下の出力定格を有することを意味する。圧縮機サイズは、０．１馬力〜約１馬力であってよい。圧縮機サイズは、０．１馬力〜約０．７５馬力であってよい。圧縮機サイズは、０．１馬力〜約０．５馬力であってよい。
【０２７７】
冷凍ユニットは、一体化された物理的実体、すなわち、構成部品に解体されるように設計されていない実体であってよい。冷凍ユニットは、例えば、冷蔵庫又は冷凍庫であってよい。
【０２７８】
各冷凍ユニットの内部に提供される冷凍回路は、それ自体が、少なくとも部分的に冷凍ユニットの外部にある共通の冷凍回路によって冷却されてよい。各冷凍ユニットの内部に収容された専用冷凍回路とは対照的に、共通の冷凍回路（本明細書では一般に第２及び第３の冷凍回路と呼ばれる）は、セールスフロア（冷凍ユニットが配置されている）と、マシンルーム及び／又はルーフ又は外側領域と、の間など、ユニットを収容している建物の複数の領域の間に延在する広範囲の回路であってよい。各冷凍ユニットは、腐敗しやすい商品など、商品を保管するための少なくとも１つの区画を含んでよい。区画は、冷凍ユニットの内部に収容された冷凍回路によって冷却される空間を画定してよい。
【０２７９】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される冷媒のいずれか１つは、本明細書に記載されるように、カスケードシステム２及び３のそれぞれを含む、本明細書に記載されるカスケード冷凍システムのいずれか１つにおいて第２の冷凍回路内の冷媒として使用されてよい。
【０２８０】
カスケードシステム２
本発明の冷媒と共に有用なカスケード冷凍システムは、図２と関連付けて以下に記載される。便宜上、このようなカスケード冷凍システムは、本明細書においてカスケードシステム２と呼ばれ、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に開示される冷媒は、任意のカスケードシステム２において第２の冷凍回路内（すなわち、中温冷凍回路内）の冷媒として使用されてよい。
【０２８１】
図２は、例えば、３つの第１の冷凍回路２２０ａ、２２０ｂ、２２０ｃを有する冷凍システム２００を示す。第１の冷凍回路２２０ａ、２２０ｂ、２２０ｃのそれぞれは、蒸発器２２３、圧縮機２２１、熱交換器２３０、及び膨張弁２２２を有する。各回路２２０ａ、２２０ｂ、２２０ｃにおいて、蒸発器２２３、圧縮機２２１、熱交換器２３０、及び膨張弁２２２は、列挙された順序で互いと直列に接続される。第１の冷凍回路２２０ａ、２２０ｂ、２２０ｃのそれぞれは、別個の対応の冷凍ユニット（図示せず）の内部に含まれている。この例では、３つの例示された冷凍ユニットのそれぞれは、冷凍庫ユニットであり、冷凍庫ユニットは、その対応の第１の冷凍回路を収容している。このようにして、各冷凍ユニットは、内蔵された専用の冷凍回路を含む。冷凍ユニット（図示せず）、ひいては第１の冷凍回路２２０ａ、２２０ｂ、２２０ｃは、スーパーマーケットのセールスフロア２４２上に配置される。
【０２８２】
この例では、第１の冷凍回路２２０ａ、２２０ｂ、２２０ｃのそれぞれにおける冷媒は、Ｒ７４４、炭化水素（Ｒ２９０、Ｒ６００ａ、Ｒ１２７０）、Ｒ１２３４ｙｆ、Ｒ１２３４ｚｅ（Ｅ）、又はＲ４５５Ａなどの低ＧＷＰ冷媒である。当業者であれば理解されるように、第１の冷凍回路２２０ａ、２２０ｂ、２２０ｃのそれぞれにおける冷媒は、他の第１の冷凍回路２２０ａ、２２０ｂ、２２０ｃのそれぞれにおける冷媒と同じであっても異なっていてもよい。
【０２８３】
冷凍システム２００はまた、第２の冷凍回路２１０も有する。第２の冷凍回路２１０は、圧縮機２１１、凝縮器２１３、及び流体受容器２１４を有する。圧縮機２１１、凝縮器２１３、及び流体受容器２１４は、直列に、所与の順序で接続されている。第２の冷凍回路２１０はまた、４つの並列接続されたブランチ、すなわち、３つの中温冷却ブランチ２１７ａ、２１７ｂ、２１７ｃ、及び１つの低温冷却ブランチ２１６も有する。４つの並列接続されたブランチ２１７ａ、２１７ｂ、２１７ｃ及び２１６は、流体受容器２１４と圧縮機２１１との間に接続されている。中温冷却ブランチ２１７ａ、２１７ｂ、２１７ｃのそれぞれは、膨張弁２１８と、蒸発器２１９ａ、２１９ｂ及び２１９ｃと、をそれぞれ有する。膨張弁２１８及び蒸発器２１９は、流体受容器２１４と凝縮器２１１との間に直列に所与の順序で接続されている。低温冷却ブランチ２１６は、膨張弁２１２と、第２の冷媒を第１の冷凍回路２２０ａ、２２０ｂ、２２０ｃの熱交換器２３０ａ、２３０ｂ、２３０ｃのそれぞれに導き及びそこから引き出す入口及び出口の配管、導管、弁などの形態である（それぞれ２６０ａ、２６０ｂ及び２６０ｃとして集合的に表される）、インターフェースと、を有する。低温冷却ブランチ２１６は、第１の冷凍回路２２０ａ、２２０ｂ、２２０ｃの熱交換器２３０ａ、２３０ｂ、２３０ｃのそれぞれに、対応の回路インターフェース位置２３１ａ、２３１ｂ、２３１ｃにおいて相互作用する。各回路インターフェース位置２３１ａ、２３１ｂ、２３１ｃは、他の回路インターフェース位置２３１ａ、２３１ｂ、２３１ｃのそれぞれと直並列の組み合わせで配置されている。
【０２８４】
中温冷凍回路２１０は、セールスフロア２４２と、マシンルーム２４１と、ルーフ１４０との間に延在する構成要素を有する。中温冷凍回路２１０の低温冷却ブランチ２１６及び中温冷却ブランチ２１７ａ、２１７ｂ、２１７ｃは、セールスフロア２４２上に位置する。圧縮機２１１及び流体受容器２１４は、マシンルーム２４１内に位置する。凝縮器２１３は、ルーフ２４０上など、周囲条件に容易に曝されることができる場所に位置する。
【０２８５】
使用中、
−第１の冷凍回路２２０ａ、２２０ｂ、２２０ｃのそれぞれは、それらの蒸発器２２３を介して熱を吸収して、冷却されるべき空間（図示せず）に低温冷却を提供し、
−第２の冷凍回路２１０は、熱交換器２３０ａ、２３０ｂ、２３０ｃのそれぞれから熱を吸収して、第１の冷凍回路２２０ａ、２２０ｂ、２２０ｃを冷却し、
−第２の冷凍回路２１０は、蒸発器２１９のそれぞれにおいて熱を吸収して、冷却されるべき空間（図示せず）に中温冷却を提供し、
−第２の冷凍回路２１０内の冷媒は、冷却器２１３内で冷却される。
【０２８６】
図２に示される構成を使用して、特に、各第１の冷凍回路２３０が対応の冷凍ユニット内に内蔵されていることから、いくつかの有益な結果が達成され得る。
【０２８７】
例えば、冷凍ユニット及び全体的なカスケード化された冷凍システム２００の取り付け及び取り外しが単純化される。これは、組込み式の内蔵された第１の冷凍回路２２０ａ、２２０ｂ、２２０ｃを有する冷凍ユニットは、第１の冷凍回路２２０、２２０ｂ、２２０ｃへの修正を必要とせずに、第２の冷凍回路２１０と容易に接続又は接続解除されることができるためである。換言すれば、冷凍ユニットは、第２の冷凍回路２１０に対して単純に「抜き差し」され得る。
【０２８８】
別の利点は、各冷凍ユニットは、対応の第１の冷凍回路２２０ａ、２２０ｂ、２２０ｃを含めて、ライブ冷凍システム２００内に取り付けられる前に、デフォルトでの工場試験を実施することができることである。これにより、潜在的に有害な冷媒の漏れを含み得る、欠陥のある可能性が軽減される。したがって、減少した漏れ率が実現され得る。
【０２８９】
別の利点は、各回路２２０ａ、２２０ｂ、２２０ｃが、その対応の冷凍ユニット内に配置され、一連のユニット間に延在しないことから、第１の冷凍回路２２０ａ、２２０ｂ、２２０ｃの長さを短くすることができることである。短くされた回路長さは、減少した表面積に起因してより短いラインでの減少した熱侵入が存在するので、改善された効率をもたらすことができる。更に、短くされた回路長さはまた、減少した圧力低下ももたらすことができ、これにより、システム２００の効率が改善される。
【０２９０】
短くされた回路長さ、及び対応の冷凍ユニットの内部に内蔵された回路の提供はまた、出願人らが非常に有益な結果であることを理解することになった第１の（低温）回路において、Ｒ７４４、炭化水素（Ｒ２９０、Ｒ６００ａ、Ｒ１２７０）、Ｒ１２３４ｙｆ、Ｒ１２３４ｚｅ（Ｅ）又はＲ４５５Ａなど、より可燃性の高い冷媒を使用する能力も提供する。これは、（上述のように）冷媒漏れの可能性が低減されることによるのと同時に、冷媒が漏れてしまったとしても、漏れが対応の冷凍ユニットの比較的小さい領域及び収容可能な領域に収容されることになり、ユニットのサイズが小さいため、比較的少量の冷媒充填しか使用されないからである。加えて、この構成は、潜在的に可燃性である材料を含有する領域がはるかに小さく、限定され、均一であるため、比較的低コストの火災軽減偶発時用手続き及び／又はデバイスの使用を可能にするであろう。このようなより可燃性の高い冷媒は、より低い地球温暖化係数（ＧＷＰ）を有し得る。したがって、有利なことに、低ＧＷＰ冷媒の使用に関する政府及び社会の目標は、システムの安全性を損なうことなく満たされ得、潜在的には更にそれを超え得る。
【０２９１】
別の利点は、各第１の冷凍回路２２０ａ、２２０ｂ、２２０ｃが、その対応の冷凍ユニットのみを冷却し得ることである。これは、各第１の冷凍回路２２０ａ、２２０ｂ、２２０ｃ上の負荷が比較的一定のままであり得ることを意味する。すなわち、一定条件が、第１の冷凍回路２２０の凝縮段階２３１及び蒸発段階２２３に適用される。これは、キャピラリーチューブ又はオリフィスチューブなど、受動的な拡張デバイス２２２を使用することができるという点において、第１の冷凍回路２２０の設計を単純化することを可能にする。これは、電子拡張デバイス及び恒温式膨張弁を使用する必要がある、より複雑な回路とは対照的である。このような複雑なデバイスの使用が回避されることから、コストは削減され得、信頼性は高まり得る。
【０２９２】
更にまた、重要なことに、このような実施形態による第２の冷凍回路内に満液式熱交換器を設けることにより、第１の回路と第２の回路との間の熱伝達が向上する。したがって、全体的な冷凍システムの効率が向上する。
【０２９３】
回路インターフェース位置が他の回路インターフェース位置と並列に連結されていることから生じ得るいくつかの利点がある。１つの利点は、１つの回路インターフェース位置に関連した又はそこに発生した欠陥が、他の回路インターフェース位置に影響しないので、システム内に弾力性が提供されることであり得る。これは、各回路インターフェース位置が、第２の冷凍回路の対応のブランチによって供されることによる。別の利点は、各回路インターフェース位置の前での第２の冷媒の温度が比較的一定に保たれることができることから、第１の冷凍回路と第２の冷凍回路との間の熱伝達効率が改善されることであり得る。対照的に、２つの回路インターフェース位置が直列に連結されている場合、第２の冷凍回路内の冷媒の温度は、上流側回路インターフェース位置の前でよりも下流側回路インターフェース位置の前での方が高くなり得る。
【０２９４】
全体として、本発明による複数の第１の冷凍回路を提供することであって、各第１の冷凍回路が対応の冷凍ユニット内に配置され、好ましくは内蔵された冷凍回路として配置されている、ことは、改善されたシステム効率をもたらす、漏れ率を低減すること、全体的な冷凍システムを単純化すること、別の方法で安全でない低ＧＷＰ冷媒の使用を可能にすること、メンテナンス及び取り付けを改善すること、並びに圧力低下を低減すること、などの利益を有する。
【０２９５】
当業者には理解されるように、任意の数の第１の冷凍回路２２０が存在してよい。特に、冷却される冷凍ユニットと同数の第１の冷凍回路２２０が存在してよい。したがって、第２の冷凍回路２１０は、任意の数の第１の冷凍回路２２０と相互作用してよい。
【０２９６】
当業者には明らかであるように、任意の数及び構成の中温冷却ブランチ２１７及び蒸発器２１８が存在してよい。
【０２９７】
カスケードシステム３
代替的な構成では、各第１の冷凍回路２２０は、他の各第１の冷凍回路２２０と完全に並列に配置されてよい。このような構成の例が図３に示されており、便宜上、本明細書においてカスケードシステム３と呼ばれる。図３は、各回路インターフェース位置２３１ａ、２３１ｂ、２３１ｃが、他の各回路インターフェース位置２３１ａ、２３１ｂ、２３１ｃと完全に並列に配置されているシステム３００を示す。システム３００の構成要素は、その他の点では（図２を参照して説明した）システム２００の場合と同じであり、システム３００の構成要素は、システム２００と実質的に同じ方式で機能し、ただし、全体的なシステムの性能及び全体的なシステムの他の重要な特徴は、この構成の変化によって著しく影響され得ることが理解されるであろう。
【０２９８】
有用には、これは、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に開示される任意の冷媒であり得る、第２の冷凍回路２１０からの冷媒の所与の部分が、圧縮機２１１に戻される前に１つの熱交換器２３０のみを通過することを意味する。したがって、この構成は、直列構成の場合と同様に、上流側熱交換器の通過により予熱される冷媒の部分をいずれの熱交換器にも受容させないので、熱交換器２３０のそれぞれがほぼ同じ温度で第２の冷媒を受容することが保証される。
当業者には明らかであるように、１つ及び第２の冷却回路２１０に関して回路インターフェース位置２３１ａ、２３１ｂ、２３１ｃの多くの他の構成が達成され得、実際に想定される。
【０２９９】
特にカスケードシステム１Ａ、１Ｂ、２及び３のいずれかを含む、本開示の一部を形成するシステムのいずれかの更なる可能性のある変更の例は、任意の数の内蔵された冷凍回路が、吸気ライン熱交換器（ＳＬＨＸ）を含み得ることである。
【０３００】
熱伝達方法
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、冷媒、及び任意のそのような冷媒を含有する本発明の任意の熱伝達組成物は、熱伝達組成物を凝縮させ、その後、冷却される物品又は本体の付近で上記組成物を蒸発させることを含む冷却方法において使用することができる。
【０３０１】
したがって、本発明は、蒸発器、凝縮器、及び圧縮機を含む熱伝達システムにおける冷却方法であって、プロセスが、ｉ）本明細書に記載される冷媒又は熱伝達組成物を凝縮することと、ｉｉ）冷却される本体又は物品の付近で冷媒を蒸発させることと、を含み、熱伝達システムの蒸発器温度が、約−４０℃〜約＋１０℃の範囲内である、冷却方法に関する。
【０３０２】
代替的には、又は更には、熱伝達組成物は、加熱される物品又は本体の付近で熱伝達組成物を凝縮することと、その後、当該組成物を蒸発させることとを含む加熱方法に使用することができる。
【０３０３】
したがって、本発明は、蒸発器、凝縮器、及び圧縮機を含む熱伝達システムにおける加熱方法であって、プロセスが、ｉ）加熱される本体又は物品の付近で本明細書に記載される冷媒又は熱伝達組成物を凝縮することと、ｉｉ）冷媒を蒸発させることと、を含み、熱伝達システムの蒸発器温度が、約−３０℃〜約５℃の範囲内である、加熱方法に関する。
【０３０４】
したがって、本明細書に記載される冷媒及び熱伝達組成物は、
−低温冷凍システム、
−中温冷凍システム、
−自動販売機、
−ヒートポンプ温水ヒータを含む、ヒートポンプ、
−除湿器、
−冷却器、特に容積型冷却器、とりわけ、モジュラー式であるか又は従来法で単独包装されているかのいずれかである、空冷又は水冷直接膨張式冷却器（好ましくは水冷）、
−家庭用冷蔵庫、
−家庭用冷凍庫、
−産業用冷凍庫、
−産業用冷蔵庫、
−冷水器、のいずれか１つにおいて使用することができる。
【０３０５】
「冷凍システム」という用語は、冷却を提供するために冷媒を用いる任意のシステム若しくは装置、又はかかるシステム若しくは装置の任意の部品若しくは部分を指す。
【０３０６】
本発明の熱伝達組成物は、移動空調用途で、並びに商用及び産業用の静止空調用途で、特に、商業用途及び産業用途において空調を提供するために水を冷却する冷却器内での使用のために提供される。したがって、本明細書に記載される熱伝達組成物は、
−移動空調、特に、トラック、バス、及び電車内での空調、
−冷却器用途、特に、産業用空調及び／又は商用空調を提供するための水を冷却するために使用される容積型冷却器又は遠心式冷却器、のいずれか１つにおいて使用することができる。
【０３０７】
本発明の熱伝達組成物はまた、ヒートポンプ用途での使用のためにも提供される。したがって、本明細書に記載される熱伝達組成物は、
−住宅用空気−水ヒートポンプ／温水システム、温水ヒータヒートポンプなど、住宅用ヒートポンプ、
−除湿器、
−産業用ヒートポンプシステム、又は
商用ヒートポンプシステム、のいずれか１つにおいて使用することができる。
【０３０８】
特に、上記のシステム及び機器並びに／又は下記のシステム及び機器のいずれかで使用されるＲ−１３４ａは、本発明の冷媒及び本発明の熱伝達組成物で改修又は置き換えられてよい。
【０３０９】
本明細書に記載される熱伝達組成物のそれぞれは、低温冷凍システム（約−４０〜約−１２℃の範囲内の、特に約−３２℃の蒸発器温度を有する）における使用のために特に提供される。
【０３１０】
本明細書に記載される熱伝達組成物のそれぞれは、中温冷凍システム（約−１２〜約０℃の範囲内の、特に約−７℃の蒸発器温度を有する）における使用のために特に提供される。
【０３１１】
本明細書に記載される熱伝達組成物のそれぞれは、カスケード冷凍システム（高段冷媒及び低段冷媒を有する）における使用のために特に提供される。本発明（ｉｎｖｉｔａｔｉｏｎ）の熱伝達組成物は、カスケードシステム（一般に、約−２０〜約１０℃の範囲内の、特に約−７℃の蒸発器温度を有する）において高段冷媒として使用される。
【０３１２】
本発明の熱伝達組成物は、住宅用ヒートポンプシステムにおける使用のために提供され、住宅用ヒートポンプシステムは、冬季に温風（当該空気は、例えば、約１８℃〜約２４℃、特に約２１℃の温度を有する）を建物に供給するために使用される。これは通常、住宅用空調システムと同じシステムであるが、ヒートポンプモードでは冷媒流が反転し、室内コイルが凝縮器となり、室外コイルが蒸発器となる。典型的なシステムの種類は、スプリット型及びミニスプリット型ヒートポンプシステムである。蒸発器及び凝縮器は通常、丸管プレートフィン又はマイクロチャネル熱交換器である。圧縮機は通常、往復動式又は回転式（ローリングピストン又はスクロール式）圧縮機である。膨張弁は通常、温度膨張弁又は電子膨張弁である。冷媒蒸発温度は、好ましくは約−２０〜約３℃の範囲内である。凝縮温度は、好ましくは約３５〜約５０℃の範囲内である。
【０３１３】
本発明の熱伝達組成物は、住宅用空気−水ヒートポンプ温水システムにおける使用のために提供され、住宅用空気−水ヒートポンプ温水システムは、冬季に床暖房又は同様の用途のために温水（当該水は、例えば、約５０℃の温度を有する）を建物に供給するために使用される。温水システムは通常、熱を周囲空気と交換するための丸管プレートフィン又はマイクロチャネル蒸発器、往復動式又は回転式圧縮機、水を加熱するためのプレート凝縮器、及び温度膨張弁又は電子膨張弁を有する。冷媒蒸発温度は、好ましくは約−２０〜約３℃の範囲内である。凝縮温度は、好ましくは約５０〜約９０℃の範囲内である。
【０３１４】
本発明の熱伝達組成物は、商用空調システムにおける使用のために提供され、商用空調システムは、オフィス及び病院などの大きな建物に水などの冷却された熱伝達流体（当該熱伝達流体、例えば水は、例えば約７℃の温度を有する）を供給するために使用される冷却器であり得る。用途に応じて、冷却器システムは通年稼働している場合がある。冷却器システムは、空冷式又は水冷式であり得る。空冷式冷却器は通常、冷水を供給するためのプレート又はシェルアンドチューブ式蒸発器、往復動式又はスクロール式圧縮機であり得る遠心式圧縮機又は容積型圧縮機、熱を周囲空気と交換するための丸管プレートフィン又はマイクロチャネル凝縮器、及び温度膨張弁又は電子膨張弁を有する。水冷式システムは通常、冷水を供給するためのシェルアンドチューブ式蒸発器、往復動式又はスクロール式圧縮機であり得る遠心式圧縮機又は容積型圧縮機、熱を冷却塔又は湖、海、及び他の天然源からの水と交換するためのシェルアンドチューブ式凝縮器、並びに温度膨張弁又は電子膨張弁を有する。冷媒蒸発温度は、好ましくは約０〜約１０℃の範囲内である。凝縮温度は、好ましくは約４０〜約７０℃の範囲内である。
【０３１５】
本発明の熱伝達組成物は、中温冷凍システムにおける使用のために提供され、中温冷凍システムは、好ましくは、冷蔵庫若しくはボトルクーラーなどにおいて食べ物若しくは飲み物を冷やすために、又はスーパーマーケットにおいて腐敗しやすい商品を冷やすために使用される。システムは通常、食べ物又は飲み物を冷やすための空気−冷媒蒸発器、往復動式又は回転式圧縮機、熱を周囲空気と交換するための空気−冷媒凝縮器、及び温度膨張弁又は電子膨張弁を有する。冷媒蒸発温度は、好ましくは約−１２〜約０℃の範囲内である。凝縮温度は、好ましくは約４０〜約７０℃の範囲内である。自動販売機は、中温冷凍システムの一例である。
【０３１６】
本発明の熱伝達組成物は、低温冷凍システムにおける使用のために提供され、当該低温冷凍システムは、好ましくは、冷凍庫又はアイスクリーム製造機において使用される。システムは通常、製品を冷やすための空気−冷媒蒸発器、往復動式又は回転式圧縮機、熱を周囲空気と交換するための空気−冷媒凝縮器、及び温度膨張弁又は電子膨張弁を有する。冷媒蒸発温度は、好ましくは約−４０〜約−１２℃の範囲内である。凝縮温度は、好ましくは約４０〜約７０℃の範囲内である。
【０３１７】
本発明の熱伝達組成物は、カスケード冷凍システムにおける使用のために提供され、当該カスケード冷凍システムは、好ましくは、周囲温度と庫内温度との間に大きな温度差（約７０〜７５℃など、例えば、約６０〜８０℃）が存在する用途において使用される（例えば、高段における凝縮器の空気側と低段における蒸発器の空気側との間の温度差）。例えば、カスケードシステムは、スーパーマーケットにおいて製品を凍らせるために使用されてよい。
【０３１８】
本明細書に記載される熱伝達組成物のそれぞれは、約−２０〜約１０℃の範囲内の、特に約−７℃の蒸発器温度を有する自動販売機における使用のために特に提供される。
【０３１９】
本明細書に記載される熱伝達組成物のそれぞれは、約−２０〜約３℃の範囲内の、特に約０．５℃の蒸発器温度を有する、住宅用空気−水ヒートポンプ温水システムなど、住宅用ヒートポンプにおける使用のために特に提供される。
【０３２０】
本明細書に記載される熱伝達組成物のそれぞれは、中温冷凍システム（約−１２〜約０℃の範囲内の、特に約−７℃の蒸発器温度を有する）における使用のために特に提供される。
【０３２１】
本明細書に記載される熱伝達組成物のそれぞれは、約−２０℃〜約２５℃の範囲内の蒸発器温度を有する温水ヒータヒートポンプにおける使用のために特に提供される。
【０３２２】
本明細書に記載される熱伝達組成物のそれぞれは、約０℃〜約１０℃の範囲内の蒸発器温度を有する除湿器における使用のために特に提供される。
【０３２３】
本明細書に記載される熱伝達組成物のそれぞれは、約０℃〜約１０℃の範囲内の、特に約４．５℃の蒸発器温度を有する空冷式冷却器における使用のために特に提供される。空冷式冷却器は、遠心式圧縮機を有する空冷式冷却器又は容積型圧縮機を有する空冷式冷却器、より具体的には、往復動式又はスクロール式圧縮機を有する空冷式冷却器であってよい。
【０３２４】
本明細書に記載される熱伝達組成物のそれぞれは、約０℃〜約１０℃の範囲内の、特に約４．５℃の蒸発器温度を有する水冷式冷却器における使用のために特に提供される。空冷式冷却器は、遠心式圧縮機を有する空冷式冷却器又は容積型圧縮機を有する空冷式冷却器、より具体的には、往復動式又はスクロール式圧縮機を有する空冷式冷却器であってよい。
【０３２５】
本明細書に記載される熱伝達組成物のそれぞれは、約−４０℃〜約１２℃の範囲内の蒸発器温度を有する冷蔵庫における使用のために特に提供される。
【０３２６】
本明細書に記載される熱伝達組成物のそれぞれは、約−４０℃〜約−１２℃の範囲内の蒸発器温度を有する冷凍庫における使用のために特に提供される。
【０３２７】
本明細書に記載される熱伝達組成物のそれぞれは、カスケード冷凍システム（高段冷媒及び低段冷媒を有する）における使用のために特に提供される。本発明（ｉｎｖｉｔａｔｉｏｎ）の熱伝達組成物は、カスケードシステム（一般に、約−２０〜約１０℃の範囲内の、特に約−７℃の蒸発器温度を有する）において高段冷媒として使用される。
【０３２８】
したがって、本発明は、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれかと、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−４０℃〜約１０℃の範囲内である、冷却方法に関する。
【０３２９】
本発明はまた、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれか、を含む熱伝達組成物と、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−４０℃〜約１０℃の範囲内であり、上記熱伝達組成物が、特に、安定化剤１又は安定化剤２を含む、本明細書に記載される任意の安定化剤を更に含む、冷却方法にも関する。
【０３３０】
本発明はまた、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれか、を含む熱伝達組成物と、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−４０℃〜約１０℃の範囲内であり、上記熱伝達組成物が、特に、潤滑剤１を含む、本明細書に記載される任意の潤滑剤を更に含む、冷却方法にも関する。
【０３３１】
本発明はまた、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれか、を含む熱伝達組成物と、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−４０℃〜約１０℃の範囲内であり、上記熱伝達組成物が、特に、安定化剤１又は安定化剤２を含む、本明細書に記載される任意の安定化剤と、特に、潤滑剤１を含む、本明細書に記載される任意の潤滑剤と、を更に含む、冷却方法にも関する。
【０３３２】
したがって、本発明は、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれかと、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−２０℃〜約３℃の範囲内である、冷却方法に関する。
【０３３３】
本発明はまた、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれか、を含む熱伝達組成物と、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−２０℃〜約３℃の範囲内であり、上記熱伝達組成物が、特に、安定化剤１又は安定化剤２を含む、本明細書に記載される任意の安定化剤を更に含む、冷却方法にも関する。
【０３３４】
本発明はまた、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれか、を含む熱伝達組成物と、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−２０℃〜約３℃の範囲内であり、上記熱伝達組成物が、特に、潤滑剤（Ｌｉｂｒｉｃａｎｔ）１を含む、本明細書に記載される任意の潤滑剤を更に含む、冷却方法にも関する。
【０３３５】
本発明はまた、蒸発器と、凝縮器と、圧縮機と、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒、又は本明細書に記載される熱伝達組成物のいずれか、を含む熱伝達組成物と、を含む熱伝達システムにおける冷却方法であって、プロセスが、ｉ）冷媒を凝縮する工程と、ｉｉ）冷却される本体又は物品の付近で冷媒を蒸発させる工程と、を含み、熱伝達システムの蒸発器温度が、約−２０℃〜約３℃の範囲内であり、上記熱伝達組成物が、特に、安定化剤１又は安定化剤２を含む、本明細書に記載される任意の安定化剤と、特に、潤滑剤１を含む、本明細書に記載される任意の潤滑剤と、を更に含む、冷却方法にも関する。
【０３３６】
本明細書に開示される熱伝達組成物は、冷媒Ｒ−１３４ａに対する不燃性かつ低地球温暖化（ＧＷＰ）改修品として提供される。したがって、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される本発明の冷媒のいずれか１つを含んでいる熱伝達組成物を含む、本発明の熱伝達組成物のそれぞれは、Ｒ−１３４ａ冷媒を含有するように設計されているか又はそれを含有する既存の熱伝達システムを改修する方法において使用することができる。本方法は、例えば、凝縮器、蒸発器、及び／又は膨張弁の修正なしに、既存のシステムの実質的な工学的修正を必要としないことが好ましい。
【０３３７】
本明細書で使用するとき、本発明の特定の熱伝達組成物に関しての「改修品」という用語は、システムから少なくとも部分的に除去された異なる冷媒組成物を内部に含有していた、かつ、本発明の指定された組成物が導入されている、熱伝達システムでの、本発明の指定された組成物の使用を意味する。
【０３３８】
本明細書に開示される熱伝達組成物は、冷媒Ｒ−１３４ａに対する不燃性かつ低地球温暖化（ＧＷＰ）置換品として提供される。したがって、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される本発明の冷媒のいずれか１つを含んでいる熱伝達組成物を含む、本発明の熱伝達組成物のそれぞれは、Ｒ−１３４ａ冷媒の置換品として使用することができ、本方法は、例えば、凝縮器、蒸発器、及び／又は膨張弁の修正なしに、システムの実質的な工学的修正を必要としないことが好ましい。
【０３３９】
本明細書で使用するとき、本発明の特定の熱伝達組成物及び特定の既存の冷媒に関しての「〜に対する置換品」という用語は、これまでその既存の冷媒と共に一般的に使用されていた熱伝達システムでの本発明の指定された組成物の使用を意味する。例として、Ｒ−１３４ａと共にこれまで使用されてきた熱伝達システムとしては、以下のシステム、及び蒸発器温度の代表的な動作特性が挙げられる。
【０３４０】
[表]
0006899899.tif 000002
【０３４１】
代替的には、熱伝達組成物は、Ｒ１３４ａ冷媒を含有するように設計されているか又はそれを含有する既存の熱伝達システムを改修する方法に使用することができ、システムは、本発明の冷媒用に変更される。
【０３４２】
熱伝達組成物がＲ−１３４ａの不燃性かつ低地球温暖化置換品として使用されるか、又はＲ１３４ａ冷媒を含有するように設計されているか若しくはそれを含有する既存の熱伝達システムを改修する方法に使用されるか、又はＲ１３４ａとの使用に適している熱伝達システムに使用される場合、熱伝達組成物は、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される本発明の任意の冷媒から本質的になり得ることが理解されよう。代替的には、本発明は、Ｒ−１３４ａの不燃性かつ低地球温暖化置換品としての本発明の冷媒の使用を包含するか、又はＲ１３４ａ冷媒を含有するように設計されているか若しくはそれを含有する既存の熱伝達システムを改修する方法に使用されるか、又は本明細書に記載されるＲ１３４ａ冷媒との使用に適している熱伝達システムに使用される。
【０３４３】
上記のように、この方法は、既存のＲ−１３４ａ冷媒の少なくとも一部をシステムから除去することを含む。好ましくは、この方法は、Ｒ−１３４ａの少なくとも約５重量％、約１０重量％、約２５重量％、約５０重量％又は約７５重量％をシステムから除去することと、それを、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を特に含んでいるそれらの熱伝達組成物を含む、本発明の熱伝達組成物で置き換えることと、を含む。
【０３４４】
本発明の組成物は、既存の又は新規の熱伝達システムなど、Ｒ−１３４ａ冷媒と共に使用される又はそれとの使用に適しているシステムにおいて用いられ得る。
【０３４５】
本発明の冷媒及び熱伝達組成物は、不燃性など、Ｒ−１３４ａの望ましい特性の多くを示すが、Ｒ−１３４ａよりも実質的に低いＧＷＰを有し、同時に、Ｒ−１３４ａと実質的に同様であるか又はそれと実質的に一致する動作特性、すなわち、効率（ＣＯＰ）を有する。
【０３４６】
したがって、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本発明の冷媒は、好ましくは、本発明の冷媒がＲ１３４ａ冷媒に取って代わる、熱伝達システムにおいて、
−冷媒の効率（ＣＯＰ）がＲ１３４ａの効率の９５〜１０５％である、
Ｒ１３４ａに匹敵する動作特性を示す。
【０３４７】
「ＣＯＰ」という用語は、エネルギー効率の尺度であり、冷凍又は冷却能力対冷凍システムのエネルギー必要量、すなわち圧縮機、ファンなどを動かすためのエネルギーの割合を意味する。ＣＯＰは冷凍システムの有用な出力であり、この場合、冷凍能力又はどれ程の冷却が提供されているかを、この出力を得るために必要な電力で割ったものである。本質的に、これはシステムの効率の尺度である。
【０３４８】
「能力」という用語は、冷凍システムにおいて冷媒によって提供される冷却の量（ＢＴＵ／ｈｒ）である。これは、冷媒が蒸発器を通る際の冷媒のエンタルピー（ＢＴＵ／ｌｂ）の変化を、冷媒の質量流量で乗じることによって実験的に決定される。エンタルピーは、冷媒の圧力及び温度の測定から決定することができる。凍システムの能力は、冷却される領域を特定の温度に維持する能力に関連する。
【０３４９】
「質量流量」という用語は、所与の時間で所与の大きさの導管を通過する冷媒の量（「ポンド」）である。
【０３５０】
熱伝達システムの信頼性を維持するために、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本発明の冷媒は、Ｒ−１３４ａに匹敵する以下の特性を更に示すことが好ましい。
−吐出温度は、Ｒ−１３４ａの吐出温度よりも１０℃を超えて高くない、及び／又は
−本発明の組成物が、Ｒ−１３４ａ冷媒を置き換えるために使用されている、熱伝達システムにおいて、圧縮機圧力比は、Ｒ−１３４ａの圧縮機圧力比の９５〜１０５％である。
【０３５１】
特許請求される組成物が望ましくは低レベルのグライドを示すことは当業者には理解されるであろう。したがって、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本発明の冷媒は、２℃未満、好ましくは１．５℃未満の蒸発器グライドを提供する。
【０３５２】
Ｒ−１３４ａと共に使用される既存の熱伝達組成物は、好ましくは冷凍システムである。したがって、本明細書に記載される熱伝達組成物のそれぞれは、
−低温冷凍システム、
−中温冷凍システム、
−商用冷蔵庫、
−商用冷凍庫、
−カスケード冷凍システム、
−製氷機、
−自動販売機、
−家庭用冷凍庫、
−家庭用冷蔵庫、
−産業用冷凍庫、
−産業用冷蔵庫
−冷水器、又は
−冷却器、のいずれか１つにおいてＲ１３４ａを置き換えるために使用することができる。
【０３５３】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本発明の冷媒は、ヒートポンプ用途においてＲ１３４ａを置き換えるために提供される。したがって、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本明細書に記載される熱伝達組成物及び冷媒のそれぞれは、
−住宅用空気−水ヒートポンプ／温水システムなど、住宅用ヒートポンプ、
−産業用ヒートポンプシステム、又は
−商用ヒートポンプシステム、のいずれか１つにおいてＲ−１３４ａを置き換えるために使用することができる。
【０３５４】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される熱伝達組成物及び冷媒のそれぞれは、空冷式冷却器（約０〜約１０℃の範囲内の、特に約４．５℃の蒸発器温度を有する）、特に遠心式又は容積型圧縮機を有する空冷式冷却器、例えば、往復動式又はスクロール式圧縮機を有する空冷式冷却器において、Ｒ１３４ａを置き換えるために特に提供される。
【０３５５】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のそれぞれを含む、本明細書に記載される熱伝達組成物及び冷媒のそれぞれは、水冷式冷却器（約０〜約１０℃の範囲内の、特に約４．５℃の蒸発器温度を有する）、特に遠心式又は容積型圧縮機を有する水冷式冷却器、例えば、往復動式又はスクロール式圧縮機を有する水冷式冷却器において、Ｒ１３４ａを置き換えるために特に提供される。
【０３５６】
本明細書に記載される熱伝達組成物のそれぞれ及び冷媒のそれぞれ、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つは、住宅用空気−水ヒートポンプ温水システムなど、住宅用ヒートポンプ（約−２０〜約３℃の範囲内の、特に約０．５℃の蒸発器温度を有する）において、Ｒ１３４ａを置き換えるために特に提供される。
【０３５７】
冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される熱伝達組成物及び冷媒のそれぞれは、中温冷凍システム（約−１２〜約０℃の範囲内の、特に約−７℃の蒸発器温度を有する）において、Ｒ１３４ａを置き換えるために特に提供される。
【０３５８】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本明細書に記載される熱伝達組成物及び冷媒のそれぞれは、低温冷凍システム（約−４０〜約−１２℃の範囲内の、特に約−３２℃の蒸発器温度を有する）において、Ｒ１３４ａを置き換えるために特に提供される。
【０３５９】
本明細書に記載される熱伝達組成物及び冷媒のそれぞれ、特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つは、カスケード冷凍システムの高段（カスケードシステムの高段は、約−２０〜約１０℃の範囲内の、特に約−７℃の蒸発器温度を有する）において、Ｒ１３４ａを置き換えるために特に提供される。
【０３６０】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の熱伝達組成物及び冷媒は、住宅用ヒートポンプシステムにおける使用のために提供され、住宅用ヒートポンプシステムは、冬季に温風（当該空気は、例えば、約１８℃〜約２４℃、特に約２１℃の温度を有する）を建物に供給するために使用される。これは通常、住宅用空調システムと同じシステムであるが、ヒートポンプシステムでは冷媒流が反転し、室内コイルが凝縮器となり、室外コイルが蒸発器となる。典型的なシステムの種類は、スプリット型及びミニスプリット型ヒートポンプシステムである。蒸発器及び凝縮器は通常、丸管プレートフィン、フィン式、又はマイクロチャネル熱交換器である。圧縮機は通常、往復動式、又は回転式（ローリングピストン又は回転弁）、又はスクロール式圧縮機である。膨張弁は通常、温度膨張弁又は電子膨張弁である。冷媒蒸発温度は、好ましくは約−２０〜約３℃又は約−３０〜約５℃の範囲内である。凝縮温度は、好ましくは約３５〜約５０℃の範囲内である。
【０３６１】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の熱伝達組成物及び冷媒は、商用空調システムにおける使用のために提供され、商用空調システムは、オフィス及び病院などの大きな建物に冷水（当該水は、例えば約７℃の温度を有する）を供給するために使用される冷却器であり得る。用途に応じて、冷却器システムは通年稼働している場合がある。冷却器システムは、空冷式又は水冷式であり得る。空冷式冷却器は通常、冷水を供給するためのプレート、チューブインチューブ式、又はシェルインチューブ式蒸発器、往復動式又はスクロール式圧縮機、熱を周囲空気と交換するための丸管プレートフィン、フィンチューブ式、又はマイクロチャネル凝縮器、及び温度膨張弁又は電子膨張弁を有する。水冷式システムは通常、冷水を供給するためのシェルアンドチューブ式蒸発器、往復動式、スクロール式、ねじ式、又は遠心式圧縮機、熱を冷却塔又は湖、海、及び他の天然源からの水と交換するためのシェルアンドチューブ式凝縮器、並びに温度膨張弁又は電子膨張弁を有する。冷媒蒸発温度は、好ましくは約０〜約１０℃の範囲内である。凝縮温度は、好ましくは約４０〜約７０℃の範囲内である。
【０３６２】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のいずれか１つを含む、本発明の熱伝達組成物及び冷媒は、住宅用空気−水ヒートポンプ温水システムにおける使用のために提供され、住宅用空気−水ヒートポンプ温水システムは、冬季に床暖房又は同様の用途のために温水（当該水は、例えば、約５０℃又は約５５℃の温度を有する）を建物に供給するために使用される。温水システムは通常、熱を周囲空気と交換するための丸管プレートフィン、フィンチューブ式、又はマイクロチャネル蒸発器、往復動式、スクロール式、又は回転式圧縮機、水を加熱するためのプレート、チューブインチューブ式、又はシェルアンドチューブ式凝縮器、及び温度膨張弁又は電子膨張弁を有する。冷媒蒸発温度は、好ましくは約−２０〜約３℃、又は−３０℃〜約５℃の範囲内である。凝縮温度は、好ましくは約５０℃〜約９０℃の範囲内である。
【０３６３】
特に、いずれか１つの冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５を含む、本発明の熱伝達組成物及び冷媒のそれぞれは、中温冷凍システムにおける使用のために特に提供される。中温冷凍システムは、１つ以上の圧縮機、及び約２０℃〜約６０℃、好ましくは約２５℃〜約４５℃の凝縮器温度を利用する。中温冷凍システムは、約−２５℃〜約０℃未満、より好ましくは約−２０℃〜約−５℃、最も好ましくは約−１０℃〜約−６．７℃の蒸発器温度を有する。更に、このような中温冷凍システムの好ましい実施形態では、システムは、蒸発器出口において約０℃〜約１０℃の過熱度を有し、好ましくは蒸発器出口において約４℃〜約６℃の過熱度を有する。更にまた、このようなシステムの好ましい実施形態では、中温冷凍システムは、吸気ラインにおいて約５℃〜約４０℃、より好ましくは約１５℃〜約３０℃の過熱度を有する。
【０３６４】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のそれぞれ（ｅａｃｎ）を含む、本発明の熱伝達組成物及び冷媒のそれぞれは、低温冷凍における使用のために特に提供される。低温冷凍システムは、１つ以上の圧縮機、及び約２０℃〜約６０℃、好ましくは約２５℃〜約４５℃の凝縮器温度を利用する。低温冷凍システムは、約−４５℃〜約０℃未満、より好ましくは約−４０〜約−１２℃、更により好ましくは約−３５℃〜約−２５℃、最も好ましくは約−３２℃の蒸発器温度を有する。更に、好ましくは、低温冷凍システムは、蒸発器出口において約０℃〜約１０℃の過熱度を有し、好ましくは蒸発器出口において約４℃〜約６℃の過熱度を有する。更にまた、好ましくは、低温冷凍システムは、吸気ラインにおいて約１５℃〜約５０℃の過熱度を有し、好ましくは吸気ラインにおいて約２５℃〜約３０℃の過熱度を有する。
【０３６５】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のそれぞれを含む、本発明の熱伝達組成物及び冷媒は、中温冷凍システムにおける使用のために提供され、中温冷凍システムは、好ましくは、冷蔵庫又はボトルクーラーなどにおいて食べ物又は飲み物を冷やすために使用される。システムは通常、食べ物又は飲み物を冷やすための空気−冷媒蒸発器、往復動式、スクロール式、又はねじ式、又は回転式圧縮機、熱を周囲空気と交換するための空気−冷媒凝縮器、及び温度膨張弁又は電子膨張弁を有する。
【０３６６】
特に、冷媒１〜２３、冷媒１ＮＦ〜２３ＮＦ、冷媒１ＧＷＰ１５０〜２３ＧＷＰ１５０、冷媒１ＮＦＧＷＰ１５０〜２３ＮＦＧＷＰ１５０、冷媒１ＧＷＰ５〜１２ＧＷＰ５、及び冷媒１ＮＦＧＷＰ５〜１２ＮＦＧＷＰ５のそれぞれを含む、本発明の熱伝達組成物及び冷媒は、低温冷凍システムにおける使用のために提供され、当該低温冷凍システムは、好ましくは、冷凍庫又は製氷機において使用される。システムは通常、食べ物又は飲み物を冷やすための空気−冷媒蒸発器、往復動式、スクロール式、又は回転式圧縮機、熱を周囲空気と交換するための空気−冷媒凝縮器、及び温度膨張弁又は電子膨張弁を有する。
【実施例】
【０３６７】
以下の表１Ａ及び表１Ｂで識別される冷媒組成物を本明細書に記載のとおり分析した。各組成物を熱力学的分析に供して、様々な冷凍システムにおいてＲ−１３４ａの動作特性と一致するその能力を判定した。組成物中に使用されている成分の様々な二成分対の特性について収集した実験データを使用して分析を実施した。ＨＦＣＯ−１２３３ｚｄ（Ｅ）、ＨＦＯ−１２３４ｚｅ（Ｅ）、及びＨＦＣ−２２７ｅａのそれぞれとの一連の二成分対におけるＣＦ３Ｉの気液平衡挙動を判定し、調査した。一連のＨＦＣＯ−１２３３ｚｄ（Ｅ）及びＨＦＣ−２２７ｅａとの二成分対におけるＣＦ３Ｉの気液平衡挙動を調査した。ＨＦＣＯ−１２３３ｚｄ（Ｅ）及びＨＦＣ−２２７ｅａの二成分対の気液平衡挙動も調査した。実験評価において各二成分対の組成を一連の相対百分率にわたって変化させ、各二成分対の混合パラメーターを実験的に得られたデータに回帰させた。個々の成分のデータは、Ｎａｔｉｏｎａｌ  Ｉｎｓｔｉｔｕｔｅ  ｏｆ  Ｓｃｉｅｎｃｅ  ａｎｄ  Ｔｅｃｈｎｏｌｏｇｙ（ＮＩＳＴ）Ｒｅｆｅｒｅｎｃｅ  Ｆｌｕｉｄ  Ｔｈｅｒｍｏｄｙｎａｍｉｃ  ａｎｄ  Ｔｒａｎｓｐｏｒｔ  Ｐｒｏｐｅｒｔｉｅｓ  Ｄａｔａｂａｓｅソフトウェア（Ｒｅｆｐｒｏｐ  ９．１  ＮＩＳＴ  Ｓｔａｎｄａｒｄ  Ｄａｔａｂａｓｅ  ２０１３）で入手可能であり、実施例では必要に応じて入手可能であった。分析を行うために選択したパラメーターは、全ての冷媒について同じ圧縮機容積、全ての冷媒について同じ動作条件、全ての冷媒について同じ圧縮機断熱効率及び容積効率であった。各実施例では、測定された気液平衡データを使用してシミュレーションを行った。各実施例についてシミュレーション結果を報告する。
【０３６８】
【表１Ａ】
0006899899.tif 000003
【０３６９】
【表１Ｂ】
0006899899.tif 000004
【０３７０】
実施例１Ａ：熱力学的グライド
直接膨張式蒸発器を収容するシステムでは、蒸発器製造業者は、一般に、蒸発器の入口から出口に至るまでの飽和温度の１℃〜２℃の損失に相当する圧力低下の設計限界を設定する（「Ｅｎｃｙｃｌｏｐｅｄｉａ  ｏｆ  Ｔｗｏ  Ｐｈａｓｅ  ｈｅａｔ  ｔｒａｎｓｆｅｒ  ａｎｄ  Ｆｌｏｗ  Ｉ」，Ｊｏｈｎ  Ｔ  Ｔｈｏｍｅ，ｃｈａｐｔｅｒ  ６，ｐ１４４）。
【０３７１】
蒸発器内の飽和温度は、グライドを有する冷媒では増加する傾向がある。この温度の増加は、蒸発器内の冷媒のグライドに等しい。蒸発器内の実際の温度変化は、これら両プロセスの正味効果である。したがって、蒸発器内で２℃未満のグライドを有する冷媒は、蒸発器内でほぼ一定の温度を有することになる。これは、特に、動作モード（すなわち、加熱又は冷却）に応じて、熱交換器内で冷媒流が方向を変える可逆ヒートポンプなどの用途の場合に、非常に効率のよい熱交換器設計につながる。
【０３７２】
熱力学的グライドは、冷媒の二成分対（ＨＦＯ−１２３４ｚｅ（Ｅ）／ＨＦＣＯ−１２３３ｚｄ（Ｅ）、ＨＦＯ−１２３４ｚｅ（Ｅ）／ＣＦ３Ｉ、ＨＦＣＯ−１２３３ｚｄ（Ｅ）／ＣＦ３Ｉ）で相互作用パラメーターを実験的に測定し、気泡（液体）及び露点（蒸気）温度の差を計算するためにＮＩＳＴ  Ｒｅｆｐｒｏｐ  ９．１を使用することによって決定した。
【０３７３】
観測されたグライドは、二成分対間の推定された相互作用パラメーター（実験データなし）を使用するＮＩＳＴ  Ｒｅｆｐｒｏｐ  ９．１データベースによって予測されるものよりも予想外に低かった。
【０３７４】
【表２−１】
0006899899.tif 000005
【０３７５】
上記のデータは、特許請求される組成物が、ブレンドの３つの成分間の予測不可能な相互作用を考慮しないモデル化によって予測されるよりも低いグライドを有することを実証する。
【０３７６】
実施例１Ｂ：熱力学的グライド
組成物Ｂ２を除いて実施例１Ａの手順を繰り返す。熱力学的グライドは、冷媒の二成分対（ＨＦＯ−１２３４ｚｅ（Ｅ）／ＨＦＣＯ−１２３３ｚｄ（Ｅ）、ＨＦＯ−１２３４ｚｅ（Ｅ）／ＣＦ３Ｉ、ＨＦＯ−１２３４ｚｅ（Ｅ）／ＨＦＣ−２２７ｅａ、ＨＦＣＯ−１２３３ｚｄ（Ｅ）／ＣＦ３Ｉ、ＨＦＣ−２２７ｅａ／ＣＦ３Ｉ、ＨＦＣＯ−１２３３ｚｄ（Ｅ）／ＨＦＣ−２２７ｅａ）で相互作用パラメーターを実験的に測定し、気泡（液体）及び露点（蒸気）温度の差を計算するためにＮＩＳＴ  Ｒｅｆｐｒｏｐ  ９．１を使用することによって決定した。
【０３７７】
観測されたグライドは、二成分対間の推定された相互作用パラメーター（実験データなし）を使用するＮＩＳＴ  Ｒｅｆｐｒｏｐ  ９．１データベースによって予測されるものよりも予想外に低かった。
【０３７８】
【表２−２】
0006899899.tif 000006
【０３７９】
上記のデータは、特許請求される組成物が、ブレンドの４つの成分間の予測不可能な相互作用を考慮しないモデル化によって予測されるよりも低いグライドを有することを実証する。
【０３８０】
実施例２Ａ：燃焼性
ＣＦ３Ｉ及びＨＦＣＯ−１２３３ｚｄ（Ｅ）は両方とも不燃性冷媒であることが知られており、燃焼性成分を含有する冷媒ブレンドの燃焼性を抑制するように作用することができる。
【０３８１】
以下の表３Ａに記載されるように、ＨＦＯ−１２３４ｚｅ（Ｅ）及びＣＦ３Ｉを含有する二成分組成物は、組成物を不燃性にするために、少なくとも３５％のＣＦ３Ｉを必要とする。更にまた、ＨＦＣＯ−１２３３ｚｄ（Ｅ）及びＨＦＯ−１２３４ｚｅ（Ｅ）を含有する二成分組成物は、組成物を不燃性にするために少なくとも３１％のＨＦＣＯ−１２３３ｚｄ（Ｅ）を必要とする。しかしながら、本発明者らは、驚くべきことに、ＣＦ３Ｉ及びＨＦＣＯ−１２３３ｚｄ（Ｅ）が両方とも使用される場合、組成物は、不燃性であるために、はるかに少ない量のこれらの成分を必要とすることを発見した。例えば、２０％のＨＦＣＯ−１２３３ｚｄ（Ｅ）とＣＦ３Ｉとの組み合わせを含有する組成物は不燃性である。
【０３８２】
【表３Ａ】
0006899899.tif 000007
【０３８３】
実施例２Ｂ：燃焼性
ＨＦＣ−２２７ｅａ、ＣＦ３Ｉ及びＨＦＣＯ−１２３３ｚｄ（Ｅ）は、不燃性冷媒であることが知られている。ＣＦ３Ｉ及びＨＦＣＯ−１２３３ｚｄ（Ｅ）は、燃焼性成分を含有する冷媒ブレンドの燃焼性を抑制するように作用することができる。
【０３８４】
以下の表３に記載されるように、ＨＦＯ−１２３４ｚｅ（Ｅ）及びＣＦ３Ｉを含有する二成分組成物は、組成物を不燃性にするために、少なくとも３５％のＣＦ３Ｉを必要とする。更にまた、ＨＦＣＯ−１２３３ｚｄ（Ｅ）及びＨＦＯ−１２３４ｚｅ（Ｅ）を含有する二成分組成物は、組成物を不燃性にするために少なくとも３１％のＨＦＣＯ−１２３３ｚｄ（Ｅ）を必要とする。
【０３８５】
Ｒ−２２７ｅａ及びＲ１２３４ｚｅ（Ｅ）の二成分組成物は、組成物を不燃性にするために１２％のＲ２２７ｅａを必要とするが、この組成物は、４０３のＧＷＰを有し、したがって、本発明の好ましい実施形態の要件、すなわち、１５０未満のＧＷＰを有する不燃性組成物であることを満たさない。
【０３８６】
しかしながら、本発明者らは、驚くべきことに、Ｒ２２７ｅａ、ＣＦ３Ｉ及びＨＦＣＯ−１２３３ｚｄ（Ｅ）が全てＨＦＯ１２３４ｚｅ（Ｅ）と共に使用される場合、組成物は、ＣＦ３Ｉ又はＨＦＣＯ−１２３３ｚｄ（Ｅ）のみを使用する場合と比較して、不燃性であるために、はるかに少ない量のこれらの成分を必要とすることを発見した。例えば、１５％のＨＦＣＯ−１２３３ｚｄ（Ｅ）、ＣＦ３Ｉの組み合わせを含有する組成物は不燃性であり、同時に１５０未満のＧＷＰを有する。
【０３８７】
【表３】
0006899899.tif 000008
【０３８８】
実施例３：性能
実施例３Ａ：ＣＯ２カスケード冷凍システムにおける性能
カスケードシステムは、一般に、周囲温度と庫内温度との間に大きな温度差（約７０〜７５℃など、例えば、約６０〜８０℃）が存在する用途において使用される（例えば、高段における凝縮器の空気側と低段における蒸発器の空気側との間の温度差）。例えば、カスケードシステムは、スーパーマーケットにおいて製品を凍らせるために使用されてよい。
【０３８９】
以下の実施例では、本発明の例示的な組成物をカスケード冷凍システムの高段の冷媒として試験した。システムの低段で使用される冷媒は、二酸化炭素であった。例示的なカスケードシステムの概略図を図４に示し、結果を表４に報告する。
【０３９０】
動作条件：
１．凝縮温度＝４５℃
２．凝縮温度−周囲温度＝１０℃
３．凝縮器過冷却＝０．０℃（受容器を有するシステム）
４．蒸発温度＝−３０℃、対応する庫内温度＝−１８℃
５．蒸発器過熱＝３．３℃
６．圧縮機断熱効率＝６５％
７．容積効率＝１００％
８．吸気ライン低段での温度上昇＝１５℃
９．吸気ライン高段での温度上昇＝１０℃
１０．中間熱交換器ＣＯ２凝縮温度＝１５℃、２０℃及び２５℃
１１．中間熱交換器過熱＝３．３℃
１２．中間熱交換器での温度差＝８℃
【０３９１】
【表４】
0006899899.tif 000009
【０３９２】
・表４は、カスケード冷凍システムの高側における冷媒Ａ１〜Ａ５の性能を示す。
・組成物Ａ１〜Ａ５は、低段サイクルの異なる凝縮温度に対してＲ１３４ａの効率と一致する。
【０３９３】
実施例３Ｂ：ＣＯ２カスケード冷凍システム
組成物Ｂ１〜Ｂ５を使用すること以外は、以下に示すような動作条件の調整と共に実施例３Ａを繰り返す。
【０３９４】
動作条件：
１．凝縮温度＝４５℃
２．凝縮温度−周囲温度＝１０℃
３．凝縮器過冷却＝０．０℃（受容器を有するシステム）
４．蒸発温度＝−３０℃、対応する庫内温度＝−１８℃
５．蒸発器過熱＝３．３℃
６．圧縮機断熱効率＝６５％
７．容積効率＝１００％
８．吸気ライン低段での温度上昇＝１５℃
９．吸気ライン高段での温度上昇＝１０℃
１０．中間熱交換器ＣＯ２凝縮温度＝１５℃、２０℃及び２５℃
１１．中間熱交換器過熱＝３．３℃
１２．中間熱交換器での温度差＝８℃
【０３９５】
結果を以下の表４Ｂに報告する。
【０３９６】
【表４Ｂ】
0006899899.tif 000010
【０３９７】
・結果を表４Ｂに報告する。
・表４Ｂは、カスケード冷凍システムにおける本発明の例示的な冷媒の性能を示す。
・組成物Ｂ１〜Ｂ５は、低段サイクルの様々な凝縮温度においてＲ１３４ａの効率と一致する。
【０３９８】
実施例４Ａ：吸気ライン／液体ライン熱交換器を有する空気熱源ヒートポンプ温水ヒータにおける性能
本発明の組成物は、住宅用空気−水ヒートポンプ温水システムにおいて使用されてよい。住宅用空気−水ヒートポンプ温水システムは、冬季に床暖房又は同様の用途のために温水（当該水は、例えば、約５０℃の温度を有する）を建物に供給するために使用される。温水システムは通常、熱を周囲空気と交換するための丸管プレートフィン又はマイクロチャネル蒸発器、往復動式又は回転式圧縮機、水を加熱するためのプレート凝縮器、及び温度膨張弁又は電子膨張弁を有する。冷媒蒸発温度は、好ましくは約−２０〜約３℃の範囲内である。凝縮温度は、好ましくは約５０〜約９０℃の範囲内である。
【０３９９】
以下の実施例では、本発明の例示的な組成物を、吸気ライン／液体ライン熱交換器を有する及び有しないヒートポンプ温水ヒータシステムにおいて試験した。吸気ライン／液体ライン熱交換器を有するヒートポンプ温水ヒータシステムの概略図を図２に示し、以下の表５Ａに報告する。
【０４００】
動作条件：
１．凝縮温度＝５５℃
２．水入口温度＝４５℃、水出口温度＝５０℃
３．凝縮器過冷却＝５．０℃
４．蒸発温度＝−５℃、対応する周囲温度＝１０℃
５．蒸発器過熱＝３．５℃
６．圧縮機断熱効率＝６０％
７．容積効率＝１００％
８．吸気ライン中の温度上昇＝５℃
９．吸気ライン／液体ライン熱交換器熱交換率：０％、３５％、５５％、７５％
【０４０１】
【表５Ａ】
0006899899.tif 000011
【０４０２】
・表５Ａは、吸気ライン／液体ライン熱交換器（ＳＬ／ＬＬ  ＨＸ）を有する及び有しないヒートポンプ温水ヒータにおける冷媒の性能を示す。
・組成物Ａ１〜Ａ５は、ＳＬ／ＬＬ熱交換器が使用されるとき、Ｒ１３４ａよりも高い効率を示す。
・組成物Ａ１〜Ａ５は、圧縮機の信頼性がより良好であることを示す、Ｒ１３４ａよりも低い吐出温度を示す。
【０４０３】
実施例４Ｂ：吸気ライン／液体ライン熱交換器を有する空気熱源ヒートポンプ温水ヒータにおける性能
組成物Ｂ１〜Ｂ５を使用すること以外は、実施例４Ｂを繰り返し、結果を以下の表５Ｂに報告する。
【０４０４】
【表５Ｂ】
0006899899.tif 000012
【０４０５】
・表５Ｂは、吸気ライン／液体ライン熱交換器（ＳＬ／ＬＬ  ＨＸ）を有する及び有しないヒートポンプ温水ヒータにおける本発明の例示的な冷媒の性能を示す。
・組成物Ｂ１〜Ｂ５は、ＳＬ／ＬＬ熱交換器を有しないシステムにおけるＲ１３４ａと同じ効率（ＣＯＰ）を示し、ＳＬ／ＬＬ熱交換器が使用されるときは、Ｒ１３４ａよりも良好な効率（ＣＯＰ）を示す。
・組成物Ｂ１〜Ｂ５は、圧縮機の信頼性がより良好であることを示す、Ｒ１３４ａよりも低い吐出温度を示す。
【０４０６】
実施例５：吸気ライン／液体ライン熱交換器を有する自動販売機における性能
本発明の組成物は、中温システムにおいて使用されてよい。中温冷凍システムは、好ましくは、冷蔵庫若しくはボトルクーラーなどにおいて食べ物若しくは飲み物を冷やすために、又はスーパーマーケットにおいて腐敗しやすい商品を冷やすために使用される。システムは通常、食べ物又は飲み物を冷やすための空気−冷媒蒸発器、往復動式又は回転式圧縮機、熱を周囲空気と交換するための空気−冷媒凝縮器、及び温度膨張弁又は電子膨張弁を有する。冷媒蒸発温度は、好ましくは約−１２〜約０℃の範囲内である。凝縮温度は、好ましくは約４０〜約７０℃の範囲内である。自動販売機は、中温冷凍システムの一例である。
【０４０７】
以下の実施例では、本発明の例示的な組成物を、吸気ライン／液体ライン熱交換器を有する及び有しない自動販売機システムにおいて試験したが、結果を以下の表６に報告する。
【０４０８】
動作条件：
１．凝縮温度＝４５℃
２．凝縮温度−周囲温度＝１０℃
３．凝縮器過冷却＝５．５℃
４．蒸発温度＝−８℃、対応する庫内温度＝１．７℃
５．蒸発器過熱＝３．５℃
６．圧縮機断熱効率＝６０％
７．容積効率＝１００％
８．吸気ライン中の温度上昇＝５℃
９．吸気ライン／液体ライン熱交換器熱交換率：０％、３５％、５５％、７５％
【０４０９】
【表６】
0006899899.tif 000013
【０４１０】
・表６は、吸気ライン／液体ライン熱交換器（ＳＬ／ＬＬ  ＨＸ）を有する及び有しない自動販売機における冷媒の性能を示す。
【０４１１】
組成物Ａ１〜Ａ５は、ＳＬ／ＬＬ熱交換器が使用されるとき、Ｒ１３４ａよりも高い効率を示す。
【０４１２】
実施例６：吸気ライン／液体ライン（ＳＬ／ＬＬ）熱交換器を有する中温冷凍システム
本発明の組成物は、中温システムにおいて使用されてよい。中温冷凍システムは、好ましくは、冷蔵庫若しくはボトルクーラーなどにおいて食べ物若しくは飲み物を冷やすために、又はスーパーマーケットにおいて腐敗しやすい商品を冷やすために使用される。システムは通常、食べ物又は飲み物を冷やすための空気−冷媒蒸発器、往復動式又は回転式圧縮機、熱を周囲空気と交換するための空気−冷媒凝縮器、及び温度膨張弁又は電子膨張弁を有する。冷媒蒸発温度は、好ましくは約−１２〜約０℃の範囲内である。凝縮温度は、好ましくは約４０〜約７０℃の範囲内である。
【０４１３】
以下の実施例では、本発明の例示的な組成物を、吸気ライン／液体ライン熱交換器を有する及び有しない中温冷凍システムにおいて試験した。吸気ライン／液体ライン熱交換器を有する中温冷凍システムの概略図を図１に示し、結果を以下の表７に報告する。
【０４１４】
動作条件：
１．凝縮温度＝４５℃
２．凝縮温度−周囲温度＝１０℃
３．凝縮器過冷却＝０．０℃（受容器を有するシステム）
４．蒸発温度＝−８℃、対応する庫内温度＝１．７℃
５．蒸発器過熱＝５．５℃
６．圧縮機断熱効率＝６５％
７．容積効率＝１００％
８．吸気ライン中の温度上昇＝１０℃
９．吸気ライン／液体ライン熱交換器熱交換率：０％、３５％、５５％、７５％
【０４１５】
【表７】
0006899899.tif 000014
【０４１６】
・表７は、中温冷凍システムにおける本発明の例示的な冷媒の性能をＲ１３４ａと比較して示す。
・組成物Ｂ１〜Ｂ５は、ＳＬ／ＬＬ熱交換器を有しないシステムにおけるＲ１３４ａと同じ効率（ＣＯＰ）を示し、ＳＬ／ＬＬ熱交換器が使用されるときは、Ｒ１３４ａよりも良好な効率（ＣＯＰ）を示す。
【０４１７】
比較実施例Ｃ１：比較カスケードシステム１Ｂ
以下の表Ｃ１は、二次ループ及び一次ループ内の冷媒がＲ４０４Ａである、機械的過冷却器を有する場合と有しない場合の両方で図１Ｂを参照して説明されるカスケード冷凍システムの結果を示す。
【０４１８】
【表Ｃ１】
0006899899.tif 000015
【０４１９】
上記の表Ｃ１は、各システムの成績係数（ＣＯＰ）に関する情報を含む。ＣＯＰは、システムに入力された仕事に対するシステムから出力された有用な冷却の比である。ＣＯＰが高いということは、動作コストが低いということと同じである。相対ＣＯＰは、過冷却なしの比較実施例冷凍システムに対して相対的なＣＯＰである。
【０４２０】
実施例７：カスケードシステム２
以下の表８は、二次ループ内の冷媒が上述のように冷媒Ａ２及びＢ２のそれぞれであり、一次ループ内の冷媒がＲ４０４Ａである、機械的過冷却器を有する場合と有しない場合の両方で図２を参照して説明されるカスケード冷凍システムの結果を示す。結果を以下の表８に報告し、この表には、便宜のために、比較（Ｃｏｍａｒａｔｉｖｅ）実施例１からの結果を再び示す。
【０４２１】
【表８−１】
0006899899.tif 000016
【０４２２】
表８からは、カスケードシステム２（図２）による二次ループにおいて本発明の冷媒Ａ２及びＢ２を使用するカスケード化された冷凍回路が、比較システムと比べて最も低い電力消費及び最良のＣＯＰを達成することが明らかである。
【０４２３】
表Ｃ１及び表８に示される結果は、以下の仮定に基づくものであり、ＭＴは中温（第２の冷凍回路）を意味し、ＬＴは低温（第１の冷凍回路）を意味し、単位は所与のとおりである。
【０４２４】
・負荷分布
○ＬＴ：１／３（３３，０００Ｗ）
○ＭＴ：２／３（６７，０００Ｗ）
・容積効率：ＭＴ及びＬＴのいずれも９５％
・断熱効率
○Ｒ４０４Ａ：ＭＴ／ＬＴ、０．７２／０．６８
・凝縮温度：１０５Ｆ
・ＭＴ蒸発温度：２０Ｆ（内蔵されたユニットではより低い圧力低下により２２Ｆ）
・ＬＴ蒸発温度：−２５Ｆ
・蒸発器過熱：１０Ｆ
・吸気ライン温度上昇
○比較実施例：ＭＴ：２５Ｆ、ＬＴ：５０Ｆ
○カスケード／内蔵型：ＭＴ：１０Ｆ、ＬＴ：２５Ｆ（内蔵されたユニットは、より短いラインを有し、したがってより少ない熱侵入を有する）
○カスケード／ポンプ型：ＭＴ：１０Ｆ、ＬＴ：２５Ｆ
・機械的過冷却器出口温度：５０Ｆ
【０４２５】
実施例８：吸気ライン液体ライン熱交換器を有するカスケードシステム２
以下の表８は、二次ループ内の冷媒が、上述のように、一方の場合では冷媒Ａ２であり、他方の場合では冷媒Ｂ２であり、一次ループ内の冷媒がＲ４０４Ａである、機械的過冷却器を有する場合と有しない場合の両方で図２を参照して説明されるが、加えて、第２の冷凍ループに取り付けられたＳＬＨＸを有する、カスケード冷凍システムの結果を示す。結果を以下の表８に報告し、この表には、便宜のために、比較実施例１からの結果を再び示す。
【０４２６】
【表８−２】
0006899899.tif 000017
【０４２７】
表８からは、カスケードシステム２（図２）及び吸気ライン液体ライン熱交換器（ＳＬＨＸ）による二次ループにおいて本発明の冷媒Ａ２及びＢ２を使用するカスケード化された冷凍回路が、比較システムと、及び図２のシステムであるがＳＬＨＸを有しないシステムと比べて、最も低い電力消費及び最良のＣＯＰを達成することが明らかである。
【０４２８】
表Ｃ１及び表８に示される結果は、以下の仮定に基づくものであり、ＭＴは中温（第２の冷凍回路）を意味し、ＬＴは低温（第１の冷凍回路）を意味し、単位は所与のとおりである。
【０４２９】
・負荷分布
○ＬＴ：１／３（３３，０００Ｗ）
○ＭＴ：２／３（６７，０００Ｗ）
・容積効率：ＭＴ及びＬＴのいずれも９５％
・断熱効率
○Ｒ４０４Ａ：ＭＴ／ＬＴ、０．７２／０．６８
・凝縮温度：１０５Ｆ
・ＭＴ蒸発温度：２０Ｆ（内蔵されたユニットではより低い圧力低下により２２Ｆ）
・ＬＴ蒸発温度：−２５Ｆ
・蒸発器過熱：１０Ｆ
・吸気ライン温度上昇
○比較実施例：ＭＴ：２５Ｆ、ＬＴ：５０Ｆ
○カスケード／内蔵型：ＭＴ：１０Ｆ、ＬＴ：２５Ｆ（内蔵されたユニットは、より短いラインを有し、したがってより少ない熱侵入を有する）
○カスケード／ポンプ型：ＭＴ：１０Ｆ、ＬＴ：２５Ｆ
・機械的過冷却器出口温度：５０Ｆ
【０４３０】
番号付けした実施形態１
少なくとも約９７重量％の以下の３つの化合物を含む冷媒であって、各化合物が以下の相対百分率で存在する、冷媒：
１重量％〜３重量％のトランス−１−クロロ−３，３，３−トリフルオロプロペン（ＨＦＣＯ−１２３３ｚｄ（Ｅ）、約７７重量％〜約８３重量％のトランス−１，３，３，３−テトラフルオロプロペン（ＨＦＯ−１２３４ｚｅ（Ｅ）、及び約１５重量％〜約２１重量％のトリフルオロヨードメタン（ＣＦ３Ｉ）。
【０４３１】
番号付けした実施形態２
３つの化合物の冷媒が、
１重量％〜３重量％のトランス−１−クロロ−３，３，３−トリフルオロプロペン（ＨＦＣＯ−１２３３ｚｄ（Ｅ）、約７７重量％〜約８３重量％のトランス−１，３，３，３−テトラフルオロプロペン（ＨＦＯ−１２３４ｚｅ（Ｅ）、及び約１８重量％〜約２１重量％のトリフルオロヨードメタン（ＣＦ３Ｉ）である、番号付けした実施形態１に記載の冷媒。
【０４３２】
番号付けした実施形態３
３つの化合物の冷媒が、１重量％〜３重量％のＨＦＣＯ−１２３３ｚｄ（Ｅ）、約７７重量％〜約８０重量％のＨＦＯ−１２３４ｚｅ（Ｅ）、及び約１８重量％〜約２１重量％のトリフルオロヨードメタン（ＣＦ３Ｉ）である、番号付けした実施形態１又は番号付けした実施形態２に記載の冷媒。
【０４３３】
番号付けした実施形態４
ＨＦＣＯ−１２３３ｚｄ（Ｅ）が、組成物の２重量％＋／−０．５重量％の量で存在する、番号付けした実施形態１〜３のいずれか１つに記載の冷媒。
【０４３４】
番号付けした実施形態５
３つの化合物の冷媒が、２重量％＋／−０．５重量％のＨＦＣＯ−１２３３ｚｄ（Ｅ）、約７８重量％のＨＦＯ−１２３４ｚｅ（Ｅ）、及び約２０重量％のトリフルオロヨードメタン（ＣＦ３Ｉ）である、番号付けした実施形態１〜４のいずれか１つに記載の冷媒。
【０４３５】
番号付けした実施形態６
３つの化合物の冷媒が、２重量％＋／−０．５重量％のＨＦＣＯ−１２３３ｚｄ（Ｅ）、７８重量％＋／−０．５重量％のＨＦＯ−１２３４ｚｅ（Ｅ）、及び２０重量％＋／−０．５重量％のトリフルオロヨードメタン（ＣＦ３Ｉ）である、番号付けした実施形態１〜５のいずれか１つに記載の冷媒。
【０４３６】
番号付けした実施形態７
冷媒が、上記３つの化合物の上記冷媒の少なくとも約９８．５重量％を含む、番号付けした実施形態１〜６に記載の冷媒。
【０４３７】
番号付けした実施形態８
以下の３つの化合物から本質的になる冷媒であって、各化合物が以下の相対百分率で存在する、冷媒：
１重量％〜３重量％のトランス−１−クロロ−３，３，３−トリフルオロプロペン（ＨＦＣＯ−１２３３ｚｄ（Ｅ）、約７７重量％〜約８３重量％のトランス−１，３，３，３−テトラフルオロプロペン（ＨＦＯ−１２３４ｚｅ（Ｅ）、及び約１５重量％〜約２１重量％のトリフルオロヨードメタン（ＣＦ３Ｉ）。
【０４３８】
番号付けした実施形態９
３つの化合物の冷媒が、
１重量％〜３重量％のトランス−１−クロロ−３，３，３−トリフルオロプロペン（ＨＦＣＯ−１２３３ｚｄ（Ｅ）、約７７重量％〜約８３重量％のトランス−１，３，３，３−テトラフルオロプロペン（ＨＦＯ−１２３４ｚｅ（Ｅ）、及び約１８重量％〜約２１重量％のトリフルオロヨードメタン（ＣＦ３Ｉ）である、番号付けした実施形態８に記載の冷媒。
【０４３９】
番号付けした実施形態１０
３つの化合物の冷媒が、１重量％〜３重量％のＨＦＣＯ−１２３３ｚｄ（Ｅ）、約７７重量％〜約８０重量％のＨＦＯ−１２３４ｚｅ（Ｅ）、及び約１８重量％〜約２１重量％のトリフルオロヨードメタン（ＣＦ３Ｉ）である、番号付けした実施形態８又は番号付けした実施形態９に記載の冷媒。
【０４４０】
番号付けした実施形態１１
ＨＦＣＯ−１２３３ｚｄ（Ｅ）が、組成物の２重量％＋／−０．５重量％の量で存在する、番号付けした実施形態８〜１０のいずれか１つに記載の冷媒。
【０４４１】
番号付けした実施形態１２
３つの化合物の冷媒が、２重量％＋／−０．５重量％のＨＦＣＯ−１２３３ｚｄ（Ｅ）、約７８重量％のＨＦＯ−１２３４ｚｅ（Ｅ）、及び約２０重量％のトリフルオロヨードメタン（ＣＦ３Ｉ）である、番号付けした実施形態８〜１１のいずれか１つに記載の冷媒。
【０４４２】
番号付けした実施形態１３
３つの化合物の冷媒が、２重量％＋／−０．５重量％のＨＦＣＯ−１２３３ｚｄ（Ｅ）、７８重量％＋／−０．５重量％のＨＦＯ−１２３４ｚｅ（Ｅ）、及び２０重量％＋／−０．５重量％のトリフルオロヨードメタン（ＣＦ３Ｉ）である、番号付けした実施形態８〜１２のいずれか１つに記載の冷媒。
【０４４３】
番号付けした実施形態１４
以下の３つの化合物からなる冷媒であって、各化合物が以下の相対百分率で存在する、冷媒：
１重量％〜３重量％のトランス−１−クロロ−３，３，３−トリフルオロプロペン（ＨＦＣＯ−１２３３ｚｄ（Ｅ）、約７７重量％〜約８３重量％のトランス−１，３，３，３−テトラフルオロプロペン（ＨＦＯ−１２３４ｚｅ（Ｅ）、及び約１５重量％〜約２１重量％のトリフルオロヨードメタン（ＣＦ３Ｉ）。
【０４４４】
番号付けした実施形態１５
３つの化合物の冷媒が、
１重量％〜３重量％のトランス−１−クロロ−３，３，３−トリフルオロプロペン（ＨＦＣＯ−１２３３ｚｄ（Ｅ）、約７７重量％〜約８３重量％のトランス−１，３，３，３−テトラフルオロプロペン（ＨＦＯ−１２３４ｚｅ（Ｅ）、及び約１８重量％〜約２１重量％のトリフルオロヨードメタン（ＣＦ３Ｉ）である、番号付けした実施形態１４に記載の冷媒。
【０４４５】
番号付けした実施形態１６
３つの化合物の冷媒が、１重量％〜３重量％のＨＦＣＯ−１２３３ｚｄ（Ｅ）、約７７重量％〜約８０重量％のＨＦＯ−１２３４ｚｅ（Ｅ）、及び約１８重量％〜約２１重量％のトリフルオロヨードメタン（ＣＦ３Ｉ）である、番号付けした実施形態１４又は番号付けした実施形態１５に記載の冷媒。
【０４４６】
番号付けした実施形態１７
ＨＦＣＯ−１２３３ｚｄ（Ｅ）が、組成物の２重量％＋／−０．５重量％の量で存在する、番号付けした実施形態１４〜１６のいずれか１つに記載の冷媒。
【０４４７】
番号付けした実施形態１８
３つの化合物の冷媒が、２重量％＋／−０．５重量％のＨＦＣＯ−１２３３ｚｄ（Ｅ）、約７８重量％のＨＦＯ−１２３４ｚｅ（Ｅ）、及び約２０重量％のトリフルオロヨードメタン（ＣＦ３Ｉ）である、番号付けした実施形態１４〜１７のいずれか１つに記載の冷媒。
【０４４８】
番号付けした実施形態１９
３つの化合物の冷媒が、２重量％＋／−０．５重量％のＨＦＣＯ−１２３３ｚｄ（Ｅ）、７８重量％＋／−０．５重量％のＨＦＯ−１２３４ｚｅ（Ｅ）、及び２０重量％＋／−０．５重量％のトリフルオロヨードメタン（ＣＦ３Ｉ）である、番号付けした実施形態１４〜１８のいずれか１つに記載の冷媒。
【０４４９】
番号付けした実施形態２０
番号付けした実施形態１〜１９のいずれか１つに記載の冷媒を含む、熱伝達組成物。
【０４５０】
番号付けした実施形態２１
冷媒が、組成物の４０重量％超を構成する、番号付けした実施形態２０に記載の熱伝達組成物。
【０４５１】
番号付けした実施形態２２
冷媒が、組成物の５０重量％超を構成する、番号付けした実施形態２０に記載の熱伝達組成物。
【０４５２】
番号付けした実施形態２３
冷媒が、組成物の６０重量％超を構成する、番号付けした実施形態２０に記載の熱伝達組成物。
【０４５３】
番号付けした実施形態２４
冷媒が、組成物の７０重量％超を構成する、番号付けした実施形態２０に記載の熱伝達組成物。
【０４５４】
番号付けした実施形態２５
冷媒が、組成物の８０重量％超を構成する、番号付けした実施形態２０に記載の熱伝達組成物。
【０４５５】
番号付けした実施形態２６
冷媒が、組成物の９０重量％超を構成する、番号付けした実施形態２０に記載の熱伝達組成物。
【０４５６】
番号付けした実施形態２７
上記熱伝達組成物が、ジエン系化合物及び／又はフェノール系化合物及び／又はリン化合物及び／又は窒素化合物及び／又はエポキシドから選択される安定化剤を更に含む、番号付けした実施形態２０〜２６のいずれか１つに記載の熱伝達組成物。
【０４５７】
番号付けした実施形態２８
上記熱伝達組成物が、ジエン系化合物及び／又はフェノール系化合物及び／又はリン化合物から選択される安定化剤を更に含む、番号付けした実施形態２０〜２７のいずれか１つに記載の熱伝達組成物。
【０４５８】
番号付けした実施形態２９
ジエン系化合物が、テレベン、レチナール、ゲラノイル、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１からなる群から選択されるテルペン、好ましくは、ファルネセンである、番号付けした実施形態２７又は２８に記載の熱伝達組成物。
【０４５９】
番号付けした実施形態３０
ジエン系化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態２９に記載の熱伝達組成物。
【０４６０】
番号付けした実施形態３１
リン化合物が、亜リン酸化合物又はリン酸化合物である、番号付けした実施形態２７又は２８に記載の熱伝達組成物。
【０４６１】
番号付けした実施形態３２
亜リン酸化合物が、ジアリール、ジアルキル、トリアリール、及び／若しくはトリアルキルホスファイト、並びに／又は混合されたアリール／アルキル二若しくは三置換ホスファイト、又はヒンダードホスファイト、トリス−（ジ−ｔｅｒｔ−ブチルフェニル）ホスファイト、ジ−ｎ−オクチルホスファイト、イソ−オクチルジフェニルホスファイト、イソーデシルジフェニルホスファイト、トリ−イソ−デシルホスフェート、トリフェニルホスファイト、及びジフェニルホスファイトから選択される１種以上の化合物、特にジフェニルホスファイト、から選択される、番号付けした実施形態３１に記載の熱伝達組成物。
【０４６２】
番号付けした実施形態３３
リン酸化合物が、トリアリールホスフェート、トリアルキルホスフェート、アルキルモノ酸ホスフェート、アリール二酸ホスフェート、アミンホスフェート、好ましくはトリアリールホスフェート及び／又はトリアルキルホスフェート、特にトリ−ｎ−ブチルホスフェート、から選択される、番号付けした実施形態３１に記載の熱伝達組成物。
【０４６３】
番号付けした実施形態３４
リン化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態３１〜３３に記載の熱伝達組成物。
【０４６４】
番号付けした実施形態３５
安定化剤組成物が、番号付けした実施形態２９〜３０のいずれか１つに記載のジエン系化合物と、番号付けした実施形態３１〜３４のいずれか１つに記載のリン化合物と、を含む、番号付けした実施形態２７又は２８のいずれか１つに記載の熱伝達組成物。
【０４６５】
番号付けした実施形態３６
リン化合物が、ヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトからなる群から選択される亜リン酸化合物である、番号付けした実施形態３５に記載の熱伝達組成物。
【０４６６】
番号付けした実施形態３７
リン化合物が、０を超える、好ましくは０．０００１重量％〜約５重量％、より好ましくは０．００１重量％〜約２．５重量％、より好ましくは０．０１重量％〜約１重量％の量で熱伝達組成物中に提供される、番号付けした実施形態３５又は３６のいずれか１つに記載の熱伝達組成物。
【０４６７】
番号付けした実施形態３８
安定化剤組成物が、ファルネセン及びジフェニルホスファイトを含む、番号付けした実施形態２７〜３７のいずれか１つに記載の熱伝達組成物。
【０４６８】
番号付けした実施形態３９
窒素化合物が、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物、好ましくはジニトロベンゼンである、番号付けした実施形態２７〜３８のいずれか１つに記載の熱伝達組成物。
【０４６９】
番号付けした実施形態４０
窒素化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態２７〜３９のいずれか１つに記載の熱伝達組成物。
【０４７０】
番号付けした実施形態４１
フェノール化合物がＢＨＴである、番号付けした実施形態２７〜４０のいずれか１つに記載の熱伝達組成物。
【０４７１】
番号付けした実施形態４２
フェノール化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態２７〜４０のいずれか１つに記載の熱伝達組成物。
【０４７２】
番号付けした実施形態４３
フェノール化合物がＢＨＴであり、当該ＢＨＴが、熱伝達組成物の重量に基づいて約０．０００１重量％〜約５重量％の量で存在する、番号付けした実施形態２７〜４２のいずれか１つに記載の熱伝達組成物。
【０４７３】
番号付けした実施形態４４
ファルネセン、ジフェニルホスファイト、及びＢＨＴを含む安定化剤組成物であって、ファルネセンが熱伝達組成物の重量に基づいて約０．０００１重量％〜約５重量％の量で提供され、ジフェニルホスファイトが熱伝達組成物の重量に基づいて約０．０００１重量％〜約５重量％の量で提供され、ＢＨＴが熱伝達組成物の重量に基づいて約０．０００１重量％〜約５重量％の量で提供される、安定化剤組成物、を含む、番号付けした実施形態２７〜４３のいずれか１つに記載の熱伝達組成物。
【０４７４】
番号付けした実施形態４５
ポリオールエステル（ＰＯＥ）、ポリアルキレングリコール（ＰＡＧ）、鉱物油、アルキルベンゼン（ＡＢ）、及びポリビニルエーテル（ＰＶＥ）から、より好ましくはポリオールエステル（ＰＯＥ）、鉱物油、アルキルベンゼン（ＡＢ）、及びポリビニルエーテル（ＰＶＥ）から、特にポリオールエステル（ＰＯＥ）、鉱物油、及びアルキルベンゼン（ＡＢ）から、最も好ましくはポリオールエステル（ＰＯＥ）から、なる群から選択される潤滑剤を更に含む、番号付けした実施形態２０〜４４のいずれか１つに記載の熱伝達組成物。
【０４７５】
番号付けした実施形態４６
潤滑剤が、ポリオールエステル（ＰＯＥ）、ポリアルキレングリコール（ＰＡＧ）、鉱物油、アルキルベンゼン（ＡＢ）、及びポリビニルエーテル（ＰＶＥ）から選択される、番号付けした実施形態４５に記載の熱伝達組成物。
【０４７６】
番号付けした実施形態４７
潤滑剤が、ポリオールエステル（ＰＯＥ）、鉱物油、アルキルベンゼン（ＡＢ）、及びポリビニルエーテル（ＰＶＥ）から選択される、番号付けした実施形態４５に記載の熱伝達組成物。
【０４７７】
番号付けした実施形態４８
潤滑剤が、ポリオールエステル（ＰＯＥ）、鉱物油、及びアルキルベンゼン（ＡＢ）から選択される、番号付けした実施形態４５に記載の熱伝達組成物。
【０４７８】
番号付けした実施形態４９
潤滑剤が、ポリオールエステル（ＰＯＥ）である、番号付けした実施形態４５に記載の熱伝達組成物。
【０４７９】
番号付けした実施形態５０
潤滑剤が、５〜６０重量％の量で熱伝達組成物中に存在する、番号付けした実施形態４５〜４９のいずれか１つに記載の熱伝達組成物。
【０４８０】
番号付けした実施形態５１
潤滑剤が、３０〜５０重量％の量で熱伝達組成物中に存在する、番号付けした実施形態４５〜４９のいずれか１つに記載の熱伝達組成物。
【０４８１】
番号付けした実施形態５２
潤滑剤が、熱伝達組成物を使用するシステムの約１０〜６０重量％の量で熱伝達組成物中に存在する、番号付けした実施形態４５〜４９のいずれか１つに記載の熱伝達組成物。
【０４８２】
番号付けした実施形態５３
潤滑剤が、熱伝達組成物を使用するシステムの約２０〜約５０重量％の量で熱伝達組成物中に存在する、番号付けした実施形態４５〜４９のいずれか１つに記載の熱伝達組成物。
【０４８３】
番号付けした実施形態５４
潤滑剤が、熱伝達組成物を使用するシステムの約２０〜約４０重量％の量で熱伝達組成物中に存在する、番号付けした実施形態４５〜４９のいずれか１つに記載の熱伝達組成物。
【０４８４】
番号付けした実施形態５５
潤滑剤が、熱伝達組成物を使用するシステムの約２０〜約３０重量％の量で熱伝達組成物中に存在する、番号付けした実施形態４５〜４９のいずれか１つに記載の熱伝達組成物。
【０４８５】
番号付けした実施形態５６
潤滑剤が、熱伝達組成物を使用するシステムの約３０〜約５０重量％の量で熱伝達組成物中に存在する、番号付けした実施形態４５〜４９のいずれか１つに記載の熱伝達組成物。
【０４８６】
番号付けした実施形態５７
潤滑剤が、熱伝達組成物を使用するシステムの約３０〜約４０重量％の量で熱伝達組成物中に存在する、番号付けした実施形態４５〜４９のいずれか１つに記載の熱伝達組成物。
【０４８７】
番号付けした実施形態５８
潤滑剤が、熱伝達組成物を使用するシステムの約５〜約１０重量％の量で熱伝達組成物中に存在する、番号付けした実施形態４５〜４９のいずれか１つに記載の熱伝達組成物。
【０４８８】
番号付けした実施形態５９
潤滑剤が、熱伝達組成物を使用するシステムの約８重量％前後の量で熱伝達組成物中に存在する、番号付けした実施形態４５〜４９のいずれか１つに記載の熱伝達組成物。
【０４８９】
番号付けした実施形態６０
潤滑剤が１０〜６０重量％の量で熱伝達組成物中に存在し、潤滑剤がポリオールエステル（ＰＯＥ）潤滑剤である、番号付けした実施形態４５〜４９のいずれか１つに記載の熱伝達組成物。
【０４９０】
番号付けした実施形態６１
熱伝達組成物が、番号付けした実施形態１〜１９のいずれか１つに記載の冷媒から本質的になる、番号付けした実施形態２０〜２６のいずれか１つに記載の熱伝達組成物。
【０４９１】
番号付けした実施形態６２
熱伝達組成物が、請求項１〜１９のいずれか一項に記載の冷媒と、番号付けした実施形態２７〜４４のいずれか１つに記載の安定化剤組成物と、から本質的になる、番号付けした実施形態２０〜２６のいずれか１つに記載の熱伝達組成物。
【０４９２】
番号付けした実施形態６３
熱伝達組成物が、番号付けした実施形態１〜１９のいずれか１つに記載の冷媒と、番号付けした実施形態２７〜４４のいずれか１つに記載の安定化剤組成物と、番号付けした実施形態４５〜６０のいずれか１つに記載の潤滑剤と、から本質的になる、番号付けした実施形態２０〜２６のいずれか１つに記載の熱伝達組成物。
【０４９３】
番号付けした実施形態６４
１５０未満の地球温暖化係数（ＧＷＰ）を有する、番号付けした実施形態２０〜６３のいずれか１つに記載の熱伝達組成物。
【０４９４】
番号付けした実施形態６５
０．０５以下、好ましくは０．０２、より好ましくは約ゼロのオゾン破壊係数（ＯＤＰ）を有する、番号付けした実施形態２０〜６４のいずれか１つに記載の熱伝達組成物。
【０４９５】
番号付けした実施形態６６
番号付けした実施形態１〜１９のいずれか１つに記載の冷媒又は番号付けした実施形態２０〜６４のいずれか１つに記載の熱伝達組成物を含有する低温冷凍システム。
【０４９６】
番号付けした実施形態６７
番号付けした実施形態１〜１９のいずれか１つに記載の冷媒又は番号付けした実施形態２０〜６４のいずれか１つに記載の熱伝達組成物を含有する中温冷凍システム。
【０４９７】
番号付けした実施形態６８
番号付けした実施形態１〜１９のいずれか１つに記載の冷媒又は番号付けした実施形態２０〜６４のいずれか１つに記載の熱伝達組成物を含有するヒートポンプ。
【０４９８】
番号付けした実施形態６９
番号付けした実施形態１〜１９のいずれか１つに記載の冷媒又は番号付けした実施形態２０〜６４のいずれか１つに記載の熱伝達組成物を含有する除湿器。
【０４９９】
番号付けした実施形態７０
番号付けした実施形態１〜１９のいずれか１つに記載の冷媒又は番号付けした実施形態２０〜６４のいずれか１つに記載の熱伝達組成物を含有する自動販売機。
【０５００】
番号付けした実施形態７１
番号付けした実施形態１〜１９のいずれか１つに記載の冷媒又は番号付けした実施形態２０〜６４のいずれか１つに記載の熱伝達組成物を含有する冷却器。
【０５０１】
番号付けした実施形態７２
番号付けした実施形態１〜１９のいずれか１つに記載の冷媒又は番号付けした実施形態２０〜６４のいずれか１つに記載の熱伝達組成物を含有する冷蔵庫。
【０５０２】
番号付けした実施形態７３
番号付けした実施形態１〜１９のいずれか１つに記載の冷媒又は番号付けした実施形態２０〜６４のいずれか１つに記載の熱伝達組成物を含有する冷凍庫。
【０５０３】
番号付けした実施形態７４
番号付けした実施形態１〜１９のいずれか１つに記載の冷媒又は番号付けした実施形態２０〜６４のいずれか１つに記載の熱伝達組成物を含有するカスケード冷凍システム。
【０５０４】
番号付けした実施形態７５
少なくとも約９７重量％の以下の４つの化合物を含む冷媒であって、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。
【０５０５】
番号付けした実施形態７６
少なくとも約９８．５重量％の以下の３つの化合物を含む冷媒であって、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。
【０５０６】
番号付けした実施形態７７
少なくとも約９９．５重量％の以下の３つの化合物を含む冷媒であって、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。
【０５０７】
番号付けした実施形態７８
以下の４つの化合物から本質的になる冷媒であって、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、約７３重量％〜約８７重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約６．６重量％〜約２０．６重量％のトリフルオロヨードメタン（ＣＦ３Ｉ）。
【０５０８】
番号付けした実施形態７９
少なくとも約９８．５重量％の以下の４つの化合物を含む冷媒であって、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、約８４重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約９．６重量％のトリフルオロヨードメタン（ＣＦ３Ｉ）。
【０５０９】
番号付けした実施形態８０
トリフルオロプロペン（ＨＦＣＯ−１２３３ｚｄ（Ｅ））、約８４重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約９．６重量％のトリフルオロヨードメタン（ＣＦ３Ｉ）。
【０５１０】
番号付けした実施形態８１
以下の４つの化合物からなる冷媒であって、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、約８４重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び約９．６重量％のトリフルオロヨードメタン（ＣＦ３Ｉ）。
【０５１１】
番号付けした実施形態８２
少なくとも約９８．５重量％の以下の４つの化合物を含む冷媒であって、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、８４重量％＋／−０．５重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び９．６重量％＋／−０．５重量％のトリフルオロヨードメタン（ＣＦ３Ｉ）。
【０５１２】
番号付けした実施形態８３
以下の４つの化合物から本質的になる冷媒であって、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、８４重量％＋／−０．５重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び９．６重量％＋／−０．５重量％のトリフルオロヨードメタン（ＣＦ３Ｉ）。
【０５１３】
番号付けした実施形態８４
以下の４つの化合物からなることを含む冷媒であって、各化合物が以下の相対百分率で存在する、冷媒：
２重量％＋／−０．５重量％のトランス−１−クロロ−３，３，３−トリフルオロプロペン（ＨＦＣＯ−１２３３ｚｄ（Ｅ））、８４重量％＋／−０．５重量％のトランス−１，３，３，３−テトラフルオロプロペン（ＨＦＯ−１２３４ｚｅ（Ｅ））、４．４重量％＋／−０．５重量％の１，１，１，２，３，３，３−ヘプタフルオロプロパン（ＨＦＣ−２２７ｅａ）、及び９．６重量％＋／−０．５重量％のトリフルオロヨードメタン（ＣＦ３Ｉ）。
【０５１４】
番号付けした実施形態８５
番号付けした実施形態７５〜８４のいずれか１つに記載の冷媒を含む、熱伝達組成物。
【０５１５】
番号付けした実施形態８６
冷媒が、組成物の４０重量％超を構成する、番号付けした実施形態８５に記載の熱伝達組成物。
【０５１６】
番号付けした実施形態８７
冷媒が、組成物の５０重量％超を構成する、番号付けした実施形態８５に記載の熱伝達組成物。
【０５１７】
番号付けした実施形態８８
冷媒が、組成物の６０重量％超を構成する、番号付けした実施形態８５に記載の熱伝達組成物。
【０５１８】
番号付けした実施形態８９
冷媒が、組成物の７０重量％超を構成する、番号付けした実施形態８５に記載の熱伝達組成物。
【０５１９】
番号付けした実施形態９０
冷媒が、組成物の８０重量％超を構成する、番号付けした実施形態８５に記載の熱伝達組成物。
【０５２０】
番号付けした実施形態９１
冷媒が、組成物の９０重量％超を構成する、番号付けした実施形態８５に記載の熱伝達組成物。
【０５２１】
番号付けした実施形態９２
上記熱伝達組成物が、ジエン系化合物及び／又はフェノール系化合物及び／又はリン化合物及び／又は窒素化合物及び／又はエポキシドから選択される安定化剤を更に含む、番号付けした実施形態８５〜９１のいずれか１つに記載の熱伝達組成物。
【０５２２】
番号付けした実施形態９３
上記熱伝達組成物が、ジエン系化合物及び／又はフェノール系化合物及び／又はリン化合物から選択される安定化剤を更に含む、番号付けした実施形態８５〜９１のいずれか１つに記載の熱伝達組成物。
【０５２３】
番号付けした実施形態９４
ジエン系化合物が、テレベン、レチナール、ゲラノイル、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１からなる群から選択されるテルペン、好ましくは、ファルネセンである、番号付けした実施形態９２又は９３に記載の熱伝達組成物。
【０５２４】
番号付けした実施形態９５
ジエン系化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態９４に記載の熱伝達組成物。
【０５２５】
番号付けした実施形態９６
リン化合物が存在し、リン化合物が、亜リン酸化合物又はリン酸化合物である、番号付けした実施形態８５〜９５に記載の熱伝達組成物。
【０５２６】
番号付けした実施形態９７
亜リン酸化合物が、ジアリール、ジアルキル、トリアリール、及び／若しくはトリアルキルホスファイト、並びに／又は混合されたアリール／アルキル二若しくは三置換ホスファイト、又はヒンダードホスファイト、トリス−（ジ−ｔｅｒｔ−ブチルフェニル）ホスファイト、ジ−ｎ−オクチルホスファイト、イソ−オクチルジフェニルホスファイト、イソーデシルジフェニルホスファイト、トリ−イソ−デシルホスフェート、トリフェニルホスファイト、及びジフェニルホスファイトから選択される１種以上の化合物、特にジフェニルホスファイト、から選択される、番号付けした実施形態９６に記載の熱伝達組成物。
【０５２７】
番号付けした実施形態９８
リン酸化合物が、トリアリールホスフェート、トリアルキルホスフェート、アルキルモノ酸ホスフェート、アリール二酸ホスフェート、アミンホスフェート、好ましくはトリアリールホスフェート及び／又はトリアルキルホスフェート、特にトリ−ｎ−ブチルホスフェート、から選択される、番号付けした実施形態９６に記載の熱伝達組成物。
【０５２８】
番号付けした実施形態９９
リン化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態９７又は９８に記載の熱伝達組成物。
【０５２９】
番号付けした実施形態１００
安定化剤組成物が、番号付けした実施形態２９〜３０のいずれか１つに記載のジエン系化合物と、番号付けした実施形態３１〜３４のいずれか１つに記載のリン化合物と、を含む、番号付けした実施形態９７又は９８のいずれか１つに記載の熱伝達組成物。
【０５３０】
番号付けした実施形態１０１
リン化合物が、ヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトからなる群から選択される亜リン酸化合物である、番号付けした実施形態１００に記載の熱伝達組成物。
【０５３１】
番号付けした実施形態１０２
リン化合物が、０を超える、好ましくは０．０００１重量％〜約５重量％、より好ましくは０．００１重量％〜約２．５重量％、より好ましくは０．０１重量％〜約１重量％の量で熱伝達組成物中に提供される、番号付けした実施形態１００又は１０１のいずれか１つに記載の熱伝達組成物。
【０５３２】
番号付けした実施形態１０３
安定化剤組成物が、ファルネセン及びジフェニルホスファイトを含む、番号付けした実施形態９２〜１０２のいずれか１つに記載の熱伝達組成物。
【０５３３】
番号付けした実施形態１０４
窒素化合物が、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物、好ましくはジニトロベンゼンである、番号付けした実施形態９２〜１０３のいずれか１つに記載の熱伝達組成物。
【０５３４】
番号付けした実施形態１０５
窒素化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態９２〜１０４のいずれか１つに記載の熱伝達組成物。
【０５３５】
番号付けした実施形態１０６
フェノール化合物がＢＨＴである、番号付けした実施形態９２〜１０５のいずれか１つに記載の熱伝達組成物。
【０５３６】
番号付けした実施形態１０７
フェノール化合物が、０を超える、好ましくは０．０００１重量％〜約５重量％、より好ましくは０．００１重量％〜約２．５重量％、最も好ましくは０．０１重量％〜約１重量％の量で熱伝達組成物中に提供される、番号付けした実施形態９２〜１０５のいずれか１つに記載の熱伝達組成物。
【０５３７】
番号付けした実施形態１０８
フェノール化合物がＢＨＴであり、当該ＢＨＴが、熱伝達組成物の重量に基づいて約０．０００１重量％〜約５重量％の量で存在する、番号付けした実施形態９２〜１０５のいずれか１つに記載の熱伝達組成物。
【０５３８】
番号付けした実施形態１０９
ファルネセン、ジフェニルホスファイト、及びＢＨＴを含む安定化剤組成物であって、ファルネセンが熱伝達組成物の重量に基づいて約０．０００１重量％〜約５重量％の量で提供され、ジフェニルホスファイトが熱伝達組成物の重量に基づいて約０．０００１重量％〜約５重量％の量で提供され、ＢＨＴが熱伝達組成物の重量に基づいて約０．０００１重量％〜約５重量％の量で提供される、安定化剤組成物、を含む、番号付けした実施形態９２〜１０５のいずれか１つに記載の熱伝達組成物。
【０５３９】
番号付けした実施形態１１０
ポリオールエステル（ＰＯＥ）、ポリアルキレングリコール（ＰＡＧ）、鉱物油、アルキルベンゼン（ＡＢ）、及びポリビニルエーテル（ＰＶＥ）から、より好ましくはポリオールエステル（ＰＯＥ）、鉱物油、アルキルベンゼン（ＡＢ）、及びポリビニルエーテル（ＰＶＥ）から、特にポリオールエステル（ＰＯＥ）、鉱物油、及びアルキルベンゼン（ＡＢ）から、最も好ましくはポリオールエステル（ＰＯＥ）から、なる群から選択される潤滑剤を更に含む、番号付けした実施形態９５〜１０９のいずれか１つに記載の熱伝達組成物。
【０５４０】
番号付けした実施形態１１１
潤滑剤が、ポリオールエステル（ＰＯＥ）、ポリアルキレングリコール（ＰＡＧ）、鉱物油、アルキルベンゼン（ＡＢ）、及びポリビニルエーテル（ＰＶＥ）から選択される、番号付けした実施形態１１０に記載の熱伝達組成物。
【０５４１】
番号付けした実施形態１１２
潤滑剤が、ポリオールエステル（ＰＯＥ）、鉱物油、アルキルベンゼン（ＡＢ）、及びポリビニルエーテル（ＰＶＥ）から選択される、番号付けした実施形態１１０に記載の熱伝達組成物。
【０５４２】
番号付けした実施形態１１３
潤滑剤が、ポリオールエステル（ＰＯＥ）、鉱物油、及びアルキルベンゼン（ＡＢ）から選択される、番号付けした実施形態１１０に記載の熱伝達組成物。
【０５４３】
番号付けした実施形態１１４
潤滑剤が、ポリオールエステル（ＰＯＥ）である、番号付けした実施形態１１０に記載の熱伝達組成物。
【０５４４】
番号付けした実施形態１１５
潤滑剤が、５〜６０重量％の量で熱伝達組成物中に存在する、番号付けした実施形態１１０〜１１４のいずれか１つに記載の熱伝達組成物。
【０５４５】
番号付けした実施形態１１６
潤滑剤が、３０〜５０重量％の量で熱伝達組成物中に存在する、番号付けした実施形態１１０〜１１４のいずれか１つに記載の熱伝達組成物。
【０５４６】
番号付けした実施形態１１７
潤滑剤が、熱伝達組成物を使用するシステムの約１０〜６０重量％の量で熱伝達組成物中に存在する、番号付けした実施形態１１０〜１１４のいずれか１つに記載の熱伝達組成物。
【０５４７】
番号付けした実施形態１１８
潤滑剤が、熱伝達組成物を使用するシステムの約２０〜約５０重量％の量で熱伝達組成物中に存在する、番号付けした実施形態１１０〜１１４のいずれか１つに記載の熱伝達組成物。
【０５４８】
番号付けした実施形態１１９
潤滑剤が、熱伝達組成物を使用するシステムの約２０〜約４０重量％の量で熱伝達組成物中に存在する、番号付けした実施形態１１０〜１１４のいずれか１つに記載の熱伝達組成物。
【０５４９】
番号付けした実施形態１２０
潤滑剤が、熱伝達組成物を使用するシステムの約２０〜約３０重量％の量で熱伝達組成物中に存在する、番号付けした実施形態１１０〜１１４のいずれか１つに記載の熱伝達組成物。
【０５５０】
番号付けした実施形態１２１
潤滑剤が、熱伝達組成物を使用するシステムの約３０〜約５０重量％の量で熱伝達組成物中に存在する、番号付けした実施形態１１０〜１１４のいずれか１つに記載の熱伝達組成物。
【０５５１】
番号付けした実施形態１２２
潤滑剤が、熱伝達組成物を使用するシステムの約３０〜約４０重量％の量で熱伝達組成物中に存在する、番号付けした実施形態１１０〜１１４のいずれか１つに記載の熱伝達組成物。
【０５５２】
番号付けした実施形態１２３
潤滑剤が、熱伝達組成物を使用するシステムの約５〜約１０重量％の量で熱伝達組成物中に存在する、番号付けした実施形態１１０〜１１４のいずれか１つに記載の熱伝達組成物。
【０５５３】
番号付けした実施形態１２４
潤滑剤が、熱伝達組成物を使用するシステムの約８重量％前後の量で熱伝達組成物中に存在する、番号付けした実施形態１１０〜１１４のいずれか１つに記載の熱伝達組成物。
【０５５４】
番号付けした実施形態１２５
潤滑剤が１０〜６０重量％の量で熱伝達組成物中に存在し、潤滑剤がポリオールエステル（ＰＯＥ）潤滑剤である、番号付けした実施形態１１０〜１１４のいずれか１つに記載の熱伝達組成物。
【０５５５】
番号付けした実施形態１２６
熱伝達組成物が、番号付けした実施形態７５〜９４のいずれか１つに記載の冷媒から本質的になる、番号付けした実施形態９５〜１０１のいずれか１つに記載の熱伝達組成物。
【０５５６】
番号付けした実施形態１２７
熱伝達組成物が、請求項７５〜８４のいずれか一項に記載の冷媒と、番号付けした実施形態９２〜１０９のいずれか１つに記載の安定化剤組成物と、から本質的になる、番号付けした実施形態７５〜９４のいずれか１つに記載の熱伝達組成物。
【０５５７】
番号付けした実施形態１２８
熱伝達組成物が、番号付けした実施形態７５〜８４のいずれか１つに記載の冷媒と、番号付けした実施形態９２〜１０９のいずれか１つに記載の安定化剤組成物と、番号付けした実施形態１１０〜１２５のいずれか１つに記載の潤滑剤と、から本質的になる、番号付けした実施形態９２〜１０９のいずれか１つに記載の熱伝達組成物。
【０５５８】
番号付けした実施形態１２９
１５０未満の地球温暖化係数（ＧＷＰ）を有する、番号付けした実施形態８５〜１２８のいずれか１つに記載の熱伝達組成物。
【０５５９】
番号付けした実施形態１３０
０．０５以下、好ましくは０．０２、より好ましくは約ゼロのオゾン破壊係数（ＯＤＰ）を有する、番号付けした実施形態８５〜１２８のいずれか１つに記載の熱伝達組成物。
【０５６０】
番号付けした実施形態１３１
番号付けした実施形態７５〜８４のいずれか１つに記載の冷媒又は番号付けした実施形態８５〜１２８のいずれか１つに記載の熱伝達組成物を含有する低温冷凍システム。
【０５６１】
番号付けした実施形態１３２
番号付けした実施形態７５〜８４のいずれか１つに記載の冷媒又は番号付けした実施形態８５〜１２８のいずれか１つに記載の熱伝達組成物を含有する中温冷凍システム。
【０５６２】
番号付けした実施形態１３３
番号付けした実施形態７５〜８４のいずれか１つに記載の冷媒又は番号付けした実施形態８５〜１２８のいずれか１つに記載の熱伝達組成物を含有するヒートポンプ。
【０５６３】
番号付けした実施形態１３４
番号付けした実施形態７５〜８４のいずれか１つに記載の冷媒又は番号付けした実施形態８４〜１２８のいずれか１つに記載の熱伝達組成物を含有する除湿器。
【０５６４】
番号付けした実施形態１３５
番号付けした実施形態７５〜８４のいずれか１つに記載の冷媒又は番号付けした実施形態８４〜１２８のいずれか１つに記載の熱伝達組成物を含有する自動販売機。
【０５６５】
番号付けした実施形態１３６
番号付けした実施形態７５〜８４のいずれか１つに記載の冷媒又は番号付けした実施形態８４〜１２８のいずれか１つに記載の熱伝達組成物を含有する冷却器。
【０５６６】
番号付けした実施形態１３７
番号付けした実施形態７５〜８４のいずれか１つに記載の冷媒又は番号付けした実施形態８５〜１２８のいずれか１つに記載の熱伝達組成物を含有する冷蔵庫。
【０５６７】
番号付けした実施形態１３８
番号付けした実施形態７５〜４９のいずれか１つに記載の冷媒又は番号付けした実施形態８５〜１２８のいずれか１つに記載の熱伝達組成物を含有する冷凍庫。
【０５６８】
番号付けした実施形態１３９
番号付けした実施形態７５〜８４のいずれか１つに記載の冷媒又は番号付けした実施形態８５〜１２８のいずれか１つに記載の熱伝達組成物を含有するカスケード冷凍システム。
【０５６９】
本発明は好ましい実施形態を参照して記載されているが、本発明の範囲を逸脱することなく、様々な変更を行うことができ、その要素に相当する等価物に置換することができることが当業者によって理解されよう。更に、特定の状況又は材料に適合させために、本発明の必須の範囲から出発して、本発明の教示に対する多くの修正を行うことができる。したがって、本発明１５は、開示される特定の実施形態に限定されるのではなく、本発明は、添付の特許請求の範囲又は後に追加される任意の特許請求の範囲に含まれる全ての実施形態を含むことが意図される。
本明細書は以下の発明の態様を包含する。
［１］
少なくとも約９７重量％の以下の４つの化合物を含む冷媒であって、各化合物が以下の相対百分率で存在する、冷媒：
１重量％〜２重量％＋／−０．５重量％のトランス−１−クロロ−３，３，３−トリフルオロプロペン（ＨＦＣＯ−１２３３ｚｄ（Ｅ））、
約７３重量％〜約８７重量％のトランス−１，３，３，３−テトラフルオロプロペン（ＨＦＯ−１２３４ｚｅ（Ｅ））、
４．４重量％＋／−０．５重量％の１，１，１，２，３，３，３−ヘプタフルオロプロパン（ＨＦＣ−２２７ｅａ）、及び
約６．６重量％〜約２０．６重量％のトリフルオロヨードメタン（ＣＦ３Ｉ）。
［２］
［１］に記載の冷媒を含む、熱伝達組成物。
［３］
潤滑剤を更に含む、［２］に記載の熱伝達組成物。
［４］
安定化剤を更に含む、［２］に記載の熱伝達組成物。
［５］
安定化剤を更に含む、［３］に記載の熱伝達組成物。
［６］
少なくとも約９７重量％の以下の３つの化合物を含む冷媒であって、各化合物が以下の相対百分率で存在する、冷媒：
１重量％〜３重量％のトランス−１−クロロ−３，３，３−トリフルオロプロペン（ＨＦＣＯ−１２３３ｚｄ（Ｅ）、
約７７重量％〜約８３重量％のトランス−１，３，３，３−テトラフルオロプロペン（ＨＦＯ−１２３４ｚｅ（Ｅ）、及び
約１５重量％〜約２１重量％のトリフルオロヨードメタン（ＣＦ３Ｉ）。
［７］
［１］に記載の冷媒を含む、熱伝達組成物。
［８］
潤滑剤を更に含む、［２］に記載の熱伝達組成物。
［９］
安定化剤を更に含む、［２］に記載の熱伝達組成物。
［１０］
安定化剤を更に含む、［３］に記載の熱伝達組成物。
【図１Ａ】
0006899899.tif 000018
【図１Ｂ】
0006899899.tif 000019
【図２】
0006899899.tif 000020
【図３】
0006899899.tif 000021
【図４】
0006899899.tif 000022
【図５】
0006899899.tif 000023